(57)【要約】  バッテリー端子（１）は、環状部（２４ａ，２５ａ）の一端部からスリット（２４ｄ，２５ｄ）を挟んで他端部までを貫通して配置される貫通板（２６）と、貫通板に設けられる螺合孔（２６ｂ）に軸方向に回転可能に支持される締結ボルト（２７）と、貫通板（２６）の螺合孔（２６ｂ）が設けられる端部側から環状部（２４ａ，２５ａ）の縁端部（２４ｈ，２５ｈ）と当接して配置され、軸方向周りの締結ボルト（２７）の回転に伴って締結ボルト（２７）と螺合孔（２６ｂ）との間に発生する軸方向の締付力（Ｆ１）を、長辺方向のうち環状部のスリットの間隔を縮小する方向に環状部を押圧する長辺方向の押圧力（Ｆ２）に変換する押圧力変換部材としてのスペーサ（２８）と、を備える。これにより、バッテリー端子（１）をバッテリーポスト（５１）に締結する際に必要なバッテリー（５０）の周囲の作業スペースを低減することができる。
2015087633.tif 000002
【特許請求の範囲】
【請求項１】
バッテリーポストが挿入されるポスト挿入孔、及び、該ポスト挿入孔と連続するスリットが形成された環状部と、
前記バッテリーポストの軸方向と交差する方向であって、前記スリットを横断する方向である幅方向に沿って、前記環状部の一端部から前記スリットを挟んで前記環状部の他端部まで延在して配置される保持部材と、
前記保持部材の一端部に設けられ、前記環状部を保持する環状部保持部と、
前記保持部材の他端部に設けられる締結部材支持部と、
前記締結部材支持部に前記軸方向周りに回転可能に支持される締結部材と、
前記締結部材と螺合する被締結部材と、
前記保持部材の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、
を備えることを特徴とするバッテリー端子。
【請求項２】
前記保持部材は、前記バッテリーポストの前記軸方向と交差する方向であって、前記スリットを横断する方向である前記幅方向に沿って、前記環状部の一端部から前記スリットを挟んで前記環状部の他端部までを貫通して配置される貫通板であり、
前記環状部保持部は、前記貫通板の一端部に設けられ、前記貫通板の前記環状部からの抜け出しを防止する抜け止め部である
ことを特徴とする、請求項１に記載のバッテリー端子。
【請求項３】
前記被締結部材は、前記貫通板の前記他端部にて前記軸方向に貫通して設けられた螺合孔を含み、
前記締結部材は、前記軸方向周りに回転可能に前記螺合孔に螺合するボルトであり、
前記締結部材支持部は、前記螺合孔を含み、
前記押圧力変換部材は、前記貫通板に対して前記幅方向に相対移動可能に配置され、前記幅方向の一端が前記ボルトの頭部と当接し、前記幅方向の他端が前記環状部と当接するスペーサであり、
前記スペーサと当接する前記ボルトの前記頭部、及び、前記ボルトと当接する前記スペーサの前記他端の少なくとも一方にテーパ面が形成されており、
前記テーパ面は、前記ボルトが前記軸方向周りの回転に伴って前記螺合孔側に接近した際に、前記ボルトと前記貫通板との間に発生する締付力によって前記ボルトが前記スペーサを押圧する前記軸方向の押圧力を、前記環状部の前記スリットの間隔を縮小する方向に前記スペーサが前記環状部を押圧する前記幅方向の押圧力に変換する方向に傾斜を有することを特徴とする、請求項２に記載のバッテリー端子。
【請求項４】
前記締結部材支持部は、前記貫通板の前記他端部にて前記軸方向に貫通して設けられ、前記幅方向に沿った長穴形状の孔部を含み、
前記締結部材は、前記貫通板の前記孔部に前記軸方向周りに回転可能に支持されるボルトであり、
前記被締結部材は、前記軸方向に対して前記貫通板を挟んで前記ボルトと対向し該ボルトと螺合すると共に、前記軸方向周りの回転を規制され、前記幅方向の一端に前記貫通板と当接するテーパ面が形成され、前記幅方向の他端が前記環状部と当接するナットであり、
前記押圧力変換部材は、前記ナットであり、
前記ナットに設けられる前記テーパ面は、前記軸方向周りの前記ボルトの回転に伴って前記ナットが前記軸方向に沿って前記ボルト側に接近した際に、前記ボルトと前記ナットとの間に発生する前記軸方向の締付力を、前記環状部の前記スリットの間隔を縮小する方向に前記ナットが前記環状部を押圧する前記幅方向の押圧力に変換する方向に傾斜を有する
ことを特徴とする、請求項２に記載のバッテリー端子。
【請求項５】
前記締結部材支持部は、前記貫通板の前記他端部にて前記軸方向に貫通して設けられ、前記幅方向に沿った長穴形状の孔部を含み、
前記締結部材は、前記貫通板の前記孔部に前記軸方向周りに回転可能に支持されるボルトであり、
前記被締結部材は、前記軸方向に対して前記貫通板を挟んで前記ボルトと対向し該ボルトと螺合するナットであり、
前記押圧力変換部材は、前記ボルトと前記貫通板との間にて前記ボルトに貫通されて配置され、前記軸方向周りの回転を規制され、前記幅方向の一端に前記貫通板と当接するテーパ面が形成され、前記幅方向の他端が前記環状部と当接するスペーサであり、
前記スペーサに設けられる前記テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記スペーサが前記環状部を押圧する前記幅方向の押圧力に変換する方向に傾斜を有する
ことを特徴とする、請求項２に記載のバッテリー端子。
【請求項６】
前記締結部材支持部は、前記貫通板の前記他端部にて前記軸方向に貫通して設けられる孔部を含み、
前記締結部材は、前記貫通板の前記孔部に前記軸方向周りに回転可能に支持されるボルトであり、
前記被締結部材は、前記軸方向に対して前記貫通板を挟んで前記ボルトと対向し該ボルトと螺合するナットであり、
前記押圧力変換部材は、
前記ボルトと前記貫通板との間にて前記ボルトに貫通されて配置され、前記軸方向周りの回転を規制された第１スペーサと、
前記貫通板に対して前記幅方向に相対移動可能に配置され、前記幅方向の一端が前記環状部と当接し、前記幅方向の他端が前記第１スペーサと当接する第２スペーサと、を有し、
前記第１スペーサには、前記幅方向の一端に前記第２スペーサと当接する第１テーパ面が形成され、
前記第２スペーサには、前記幅方向の他端に前記第１テーパ面と当接する第２テーパ面が形成され、
前記第１スペーサに設けられる前記第１テーパ面と、前記第２スペーサに設けられる前記第２テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記第２スペーサが前記環状部を押圧する前記幅方向の押圧力に変換する方向に傾斜を有する
ことを特徴とする、請求項２に記載のバッテリー端子。
【請求項７】
前記孔部は、前記幅方向に沿った長穴形状であり、
前記第１スペーサには、前記幅方向に対して前記第１テーパ面の背面側に設けられ、前記貫通板と当接する第３テーパ面が形成され、
前記第１スペーサに設けられる前記第３テーパ面は、前記ボルトが前記軸方向周りの回転に伴って、前記軸方向に沿って前記ナット側に接近した際に、前記ボルトと前記ナットとの間に発生する前記軸方向の締付力を、前記第３テーパ面と当接する前記貫通板を介して前記抜け止め部を前記幅方向の前記孔部側に引き付ける引付力に変換する方向に傾斜を有する
ことを特徴とする、請求項６に記載のバッテリー端子。
【請求項８】
前記被締結部材は、前記貫通板の前記他端部にて前記軸方向に貫通して設けられた螺合孔を含み、
前記締結部材は、前記軸方向周りに前記螺合孔に回転可能に支持されるボルトであり、
前記締結部材支持部は、前記螺合孔を含み、
前記押圧力変換部材は、
前記ボルトと前記貫通板との間にて前記ボルトに貫通されて配置され、前記軸方向周りの回転を規制された第１スペーサと、
前記貫通板に対して前記幅方向に相対移動可能に配置され、前記幅方向の一端が前記環状部と当接し、前記幅方向の他端が前記第１スペーサと当接する第２スペーサと、を有し、
前記第１スペーサには、前記幅方向の一端に前記第２スペーサと当接する第１テーパ面が形成され、
前記第２スペーサには、前記幅方向の他端に前記第１テーパ面と当接する第２テーパ面が形成され、
前記第１スペーサに設けられる前記第１テーパ面と、前記第２スペーサに設けられる前記第２テーパ面は、前記ボルトが前記軸方向周りの回転に伴って、前記軸方向に沿って前記螺合孔側に接近した際に、前記ボルトと前記螺合孔との間に発生する前記軸方向の締付力を、前記環状部の前記スリットの間隔を縮小する方向に前記第２スペーサが前記環状部を押圧する前記幅方向の押圧力に変換する方向に傾斜を有する
ことを特徴とする、請求項２に記載のバッテリー端子。
【請求項９】
前記抜け止め部は、前記貫通板の前記一端部にて前記貫通板と直交配置され、前記貫通板と一体的に形成される板状部材である
ことを特徴とする、請求項８に記載のバッテリー端子。
【請求項１０】
前記抜け止め部は、
前記貫通板の前記一端部に設けられた切欠き部と、
前記切欠き部に嵌合することで前記貫通板と直交配置される板状部材と、
を有する
ことを特徴とする、請求項８に記載のバッテリー端子。
【請求項１１】
前記締結部材支持部は、前記貫通板の前記他端部にて前記軸方向に貫通して設けられる孔部を含み、
前記締結部材は、前記貫通板の前記孔部に前記軸方向周りに回転可能に支持されるボルトであり、
前記貫通板は、前記軸方向に所定の間隙を取って対向配置される２つの平板部と、前記他端部の縁端にて前記２つの平板部を連結する連結部とを有し、
前記被締結部材は、前記貫通板の前記２つの平板部の間に配置され、前記孔部を介して前記ボルトと螺合するナットであり、
前記押圧力変換部材は、前記ボルトと前記貫通板との間にて前記ボルトに貫通されて配置され、前記軸方向周りの回転を規制されたスペーサであり、
前記スペーサには、前記環状部の前記幅方向の端部であって前記抜け止め部によって保持された端部とは反対側の端部に当接する第１テーパ面が形成され、
前記スペーサに設けられる前記第１テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記スペーサが前記環状部を押圧する前記幅方向の押圧力に変換する方向に傾斜を有することを特徴とする、請求項２に記載のバッテリー端子。
【請求項１２】
前記孔部は、前記幅方向に沿った長穴形状であり、
前記スペーサには、前記幅方向に対して前記第１テーパ面の背面側に設けられ、前記貫通板と当接する第２テーパ面が形成され、
前記スペーサに設けられる前記第２テーパ面は、前記ボルトが前記軸方向周りの回転に伴って、前記軸方向に沿って前記ナット側に接近した際に、前記ボルトと前記ナットとの間に発生する前記軸方向の締付力を、前記第２テーパ面と当接する前記貫通板を介して前記抜け止め部を前記幅方向の前記孔部側に引き付ける引付力に変換する方向に傾斜を有する
ことを特徴とする、請求項１１に記載のバッテリー端子。
【請求項１３】
前記環状部の前記幅方向の端部であって前記スペーサと当接する端部に、前記スペーサの前記第１テーパ面と当接する第３テーパ面が形成される
ことを特徴とする、請求項１１または１２に記載のバッテリー端子。
【請求項１４】
前記締結部材支持部は、前記保持部材の前記他端部にて前記軸方向に貫通して設けられる孔部を含み、
前記締結部材は、前記保持部材の前記孔部に前記軸方向周りに回転可能に支持されるボルトであり、
前記被締結部材は、前記軸方向に対して前記保持部材を挟んで前記ボルトと対向し該ボルトと螺合するナットであり、
前記押圧力変換部材は、前記ボルトと前記保持部材との間にて前記ボルトに貫通されて配置され、前記軸方向周りの回転を規制されたスペーサであり、
前記スペーサには、前記環状部の前記幅方向の端部であって前記環状部保持部によって保持された端部とは反対側の端部に当接する第１テーパ面が形成され、
前記スペーサに設けられる前記第１テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記スペーサが前記環状部を押圧する前記幅方向の押圧力に変換する方向に傾斜を有することを特徴とする、請求項１に記載のバッテリー端子。
【請求項１５】
前記保持部材の前記他端部の縁端に設けられ、前記軸方向の前記ボルトが配置される側に突設される縁端突設部を有し、
前記孔部は、前記幅方向に沿った長穴形状であり、
前記スペーサには、前記幅方向に対して前記第１テーパ面の背面側に設けられ、前記保持部材の前記縁端突設部と当接する第２テーパ面が形成され、
前記スペーサに設けられる前記第２テーパ面は、前記ボルトが前記軸方向周りの回転に伴って、前記軸方向に沿って前記ナット側に接近した際に、前記ボルトと前記ナットとの間に発生する前記軸方向の締付力を、前記第２テーパ面と当接する前記縁端突設部を介して前記保持部材の前記環状部保持部を前記幅方向の前記締結部材支持部側に引き付ける引付力に変換する方向に傾斜を有する
ことを特徴とする、請求項１４に記載のバッテリー端子。
【請求項１６】
前記バッテリーポストは、バッテリー筐体の上面に形成された凹部の底面に立設され、  前記締結部材は、前記バッテリーポストが前記ポスト挿入孔に挿入され、かつ、前記締結部材支持部に支持された状態で、少なくとも一部が前記軸方向に沿って前記上面から突出した位置に支持される、
ことを特徴とする、請求項１〜１５のいずれか１項に記載のバッテリー端子。
【請求項１７】
前記被締結部材は、前記貫通板の前記他端部にて前記軸方向に貫通して設けられた螺合孔を含み、
前記締結部材は、前記軸方向周りに前記螺合孔に回転可能に支持されるボルトであり、
前記締結部材支持部は、前記螺合孔を含み、
前記押圧力変換部材は、
前記ボルトと前記貫通板との間にて前記ボルトに貫通されて配置され、前記軸方向周りの回転を規制されたスペーサと、
前記環状部の前記幅方向の端部において前記環状部と一体的に形成され、前記貫通板に対して前記幅方向に相対移動可能に設けられ、前記スペーサと当接するテーパ状部と、を有し、
前記スペーサには、前記テーパ状部と当接する第１テーパ面が形成され、
前記テーパ状部には、前記第１テーパ面と当接する第２テーパ面が形成され、
前記スペーサに設けられる前記第１テーパ面と、前記テーパ状部に設けられる前記第２テーパ面は、前記ボルトが前記軸方向周りの回転に伴って、前記軸方向に沿って前記螺合孔側に接近した際に、前記ボルトと前記螺合孔との間に発生する前記軸方向の締付力を、前記環状部の前記スリットの間隔を縮小する方向に前記スペーサが前記テーパ状部を押圧する前記幅方向の押圧力に変換する方向に傾斜を有する
ことを特徴とする、請求項２に記載のバッテリー端子。
【請求項１８】
前記抜け止め部は、
前記貫通板の前記一端部に設けられた切欠き部と、
前記切欠き部に嵌合することで前記貫通板と直交配置される板状部材と、
を有する
ことを特徴とする、請求項１７に記載のバッテリー端子。
【発明の詳細な説明】
【技術分野】
【０００１】
本発明は、バッテリー端子に関する。
【背景技術】
【０００２】
従来、車両等に搭載されたバッテリーに立設されたバッテリーポストに取り付けるためのバッテリー端子が知られている。従来のバッテリー端子として、例えば、特許文献１には、孔部にバッテリーポストを挿入した状態で締結させることにより、バッテリーポストに取り付けることができるバッテリー端子の構成が開示されている。特許文献１に記載されるように、一般的に、従来のバッテリー端子は、水平方向を軸線方向として配置されるボルトとナットとを締め付けることで、バッテリーポストが挿入されている孔部を縮径してバッテリーポストへの締結力を確保し、バッテリーポストに取り付けられるのが一般的である。
【先行技術文献】
【特許文献】
【０００３】
【特許文献１】特開平９−２４５７６７号公報
【発明の概要】
【発明が解決しようとする課題】
【０００４】
このようなバッテリー端子では、締結のためにボルトやナットを水平方向の軸線周りに回転させる必要がある。このため、バッテリーポストに取り付ける際には、ボルトやナットを回転させるための工具をバッテリーポストの側方、すなわちバッテリーの側方からセットして回転操作する必要があった。このため、バッテリーの側方に工具を差し入れたり操作するための作業スペースを大きく取る必要があった。【０００５】
本発明は、上記に鑑みてなされたものであって、バッテリーポストに締結する際に必要なバッテリー周囲の作業スペースを低減できるバッテリー端子を提供することを目的とする。
【課題を解決するための手段】
【０００６】
上記の課題を解決するため、本発明に係るバッテリー端子は、バッテリーポストが挿入されるポスト挿入孔、及び、該ポスト挿入孔と連続するスリットが形成された環状部と、前記バッテリーポストの軸方向と交差する方向であって、前記スリットを横断する方向である幅方向に沿って、前記環状部の一端部から前記スリットを挟んで前記環状部の他端部まで延在して配置される保持部材と、前記保持部材の一端部に設けられ、前記環状部を保持する環状部保持部と、前記保持部材の他端部に設けられる締結部材支持部と、前記締結部材支持部に前記軸方向周りに回転可能に支持される締結部材と、前記締結部材と螺合する被締結部材と、前記保持部材の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、を備えることを特徴とする。【０００７】
また、上記のバッテリー端子において、前記保持部材は、前記バッテリーポストの前記軸方向と交差する方向であって、前記スリットを横断する方向である前記幅方向に沿って、前記環状部の一端部から前記スリットを挟んで前記環状部の他端部までを貫通して配置される貫通板であり、前記環状部保持部は、前記貫通板の一端部に設けられ、前記貫通板の前記環状部からの抜け出しを防止する抜け止め部であることが好ましい。【０００８】
また、上記のバッテリー端子において、前記被締結部材は、前記貫通板の前記他端部にて前記軸方向に貫通して設けられた螺合孔を含み、前記締結部材は、前記軸方向周りに回転可能に前記螺合孔に螺合するボルトであり、前記締結部材支持部は、前記螺合孔を含み、前記押圧力変換部材は、前記貫通板に対して前記幅方向に相対移動可能に配置され、前記幅方向の一端が前記ボルトの頭部と当接し、前記幅方向の他端が前記環状部と当接するスペーサであり、前記スペーサと当接する前記ボルトの前記頭部、及び、前記ボルトと当接する前記スペーサの前記他端の少なくとも一方にテーパ面が形成されており、前記テーパ面は、前記ボルトが前記軸方向周りの回転に伴って前記螺合孔側に接近した際に、前記ボルトと前記貫通板との間に発生する締付力によって前記ボルトが前記スペーサを押圧する前記軸方向の押圧力を、前記環状部の前記スリットの間隔を縮小する方向に前記スペーサが前記環状部を押圧する前記幅方向の押圧力に変換する方向に傾斜を有することが好ましい。【０００９】
また、上記のバッテリー端子において、前記締結部材支持部は、前記貫通板の前記他端部にて前記軸方向に貫通して設けられ、前記幅方向に沿った長穴形状の孔部を含み、前記締結部材は、前記貫通板の前記孔部に前記軸方向周りに回転可能に支持されるボルトであり、前記被締結部材は、前記軸方向に対して前記貫通板を挟んで前記ボルトと対向し該ボルトと螺合すると共に、前記軸方向周りの回転を規制され、前記幅方向の一端に前記貫通板と当接するテーパ面が形成され、前記幅方向の他端が前記環状部と当接するナットであり、前記押圧力変換部材は、前記ナットであり、前記ナットに設けられる前記テーパ面は、前記軸方向周りの前記ボルトの回転に伴って前記ナットが前記軸方向に沿って前記ボルト側に接近した際に、前記ボルトと前記ナットとの間に発生する前記軸方向の締付力を、前記環状部の前記スリットの間隔を縮小する方向に前記ナットが前記環状部を押圧する前記幅方向の押圧力に変換する方向に傾斜を有することが好ましい。【００１０】
また、上記のバッテリー端子において、前記締結部材支持部は、前記貫通板の前記他端部にて前記軸方向に貫通して設けられ、前記幅方向に沿った長穴形状の孔部を含み、前記締結部材は、前記貫通板の前記孔部に前記軸方向周りに回転可能に支持されるボルトであり、前記被締結部材は、前記軸方向に対して前記貫通板を挟んで前記ボルトと対向し該ボルトと螺合するナットであり、前記押圧力変換部材は、前記ボルトと前記貫通板との間にて前記ボルトに貫通されて配置され、前記軸方向周りの回転を規制され、前記幅方向の一端に前記貫通板と当接するテーパ面が形成され、前記幅方向の他端が前記環状部と当接するスペーサであり、前記スペーサに設けられる前記テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記スペーサが前記環状部を押圧する前記幅方向の押圧力に変換する方向に傾斜を有することが好ましい。【００１１】
また、上記のバッテリー端子において、前記締結部材支持部は、前記貫通板の前記他端部にて前記軸方向に貫通して設けられる孔部を含み、前記締結部材は、前記貫通板の前記孔部に前記軸方向周りに回転可能に支持されるボルトであり、前記被締結部材は、前記軸方向に対して前記貫通板を挟んで前記ボルトと対向し該ボルトと螺合するナットであり、前記押圧力変換部材は、前記ボルトと前記貫通板との間にて前記ボルトに貫通されて配置され、前記軸方向周りの回転を規制された第１スペーサと、前記貫通板に対して前記幅方向に相対移動可能に配置され、前記幅方向の一端が前記環状部と当接し、前記幅方向の他端が前記第１スペーサと当接する第２スペーサと、を有し、前記第１スペーサには、前記幅方向の一端に前記第２スペーサと当接する第１テーパ面が形成され、前記第２スペーサには、前記幅方向の他端に前記第１テーパ面と当接する第２テーパ面が形成され、前記第１スペーサに設けられる前記第１テーパ面と、前記第２スペーサに設けられる前記第２テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記第２スペーサが前記環状部を押圧する前記幅方向の押圧力に変換する方向に傾斜を有することが好ましい。【００１２】
また、上記のバッテリー端子において、前記孔部は、前記幅方向に沿った長穴形状であり、前記第１スペーサには、前記幅方向に対して前記第１テーパ面の背面側に設けられ、前記貫通板と当接する第３テーパ面が形成され、前記第１スペーサに設けられる前記第３テーパ面は、前記ボルトが前記軸方向周りの回転に伴って、前記軸方向に沿って前記ナット側に接近した際に、前記ボルトと前記ナットとの間に発生する前記軸方向の締付力を、前記第３テーパ面と当接する前記貫通板を介して前記抜け止め部を前記幅方向の前記孔部側に引き付ける引付力に変換する方向に傾斜を有することが好ましい。【００１３】
また、上記のバッテリー端子において、前記被締結部材は、前記貫通板の前記他端部にて前記軸方向に貫通して設けられた螺合孔を含み、前記締結部材は、前記軸方向周りに前記螺合孔に回転可能に支持されるボルトであり、前記締結部材支持部は、前記螺合孔を含み、前記押圧力変換部材は、前記ボルトと前記貫通板との間にて前記ボルトに貫通されて配置され、前記軸方向周りの回転を規制された第１スペーサと、前記貫通板に対して前記幅方向に相対移動可能に配置され、前記幅方向の一端が前記環状部と当接し、前記幅方向の他端が前記第１スペーサと当接する第２スペーサと、を有し、前記第１スペーサには、前記幅方向の一端に前記第２スペーサと当接する第１テーパ面が形成され、前記第２スペーサには、前記幅方向の他端に前記第１テーパ面と当接する第２テーパ面が形成され、前記第１スペーサに設けられる前記第１テーパ面と、前記第２スペーサに設けられる前記第２テーパ面は、前記ボルトが前記軸方向周りの回転に伴って、前記軸方向に沿って前記螺合孔側に接近した際に、前記ボルトと前記螺合孔との間に発生する前記軸方向の締付力を、前記環状部の前記スリットの間隔を縮小する方向に前記第２スペーサが前記環状部を押圧する前記幅方向の押圧力に変換する方向に傾斜を有することが好ましい。【００１４】
また、上記のバッテリー端子において、前記抜け止め部は、前記貫通板の前記一端部にて前記貫通板と直交配置され、前記貫通板と一体的に形成される板状部材であることが好ましい。【００１５】
また、上記のバッテリー端子において、前記抜け止め部は、前記貫通板の前記一端部に設けられた切欠き部と、前記切欠き部に嵌合することで前記貫通板と直交配置される板状部材と、を有することが好ましい。【００１６】
また、上記のバッテリー端子において、前記締結部材支持部は、前記貫通板の前記他端部にて前記軸方向に貫通して設けられる孔部を含み、前記締結部材は、前記貫通板の前記孔部に前記軸方向周りに回転可能に支持されるボルトであり、前記貫通板は、前記軸方向に所定の間隙を取って対向配置される２つの平板部と、前記他端部の縁端にて前記２つの平板部を連結する連結部とを有し、前記被締結部材は、前記貫通板の前記２つの平板部の間に配置され、前記孔部を介して前記ボルトと螺合するナットであり、前記押圧力変換部材は、前記ボルトと前記貫通板との間にて前記ボルトに貫通されて配置され、前記軸方向周りの回転を規制されたスペーサであり、前記スペーサには、前記環状部の前記幅方向の端部であって前記抜け止め部によって保持された端部とは反対側の端部に当接する第１テーパ面が形成され、前記スペーサに設けられる前記第１テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記スペーサが前記環状部を押圧する前記幅方向の押圧力に変換する方向に傾斜を有することが好ましい。【００１７】
また、上記のバッテリー端子において、前記孔部は、前記幅方向に沿った長穴形状であり、前記スペーサには、前記幅方向に対して前記第１テーパ面の背面側に設けられ、前記貫通板と当接する第２テーパ面が形成され、前記スペーサに設けられる前記第２テーパ面は、前記ボルトが前記軸方向周りの回転に伴って、前記軸方向に沿って前記ナット側に接近した際に、前記ボルトと前記ナットとの間に発生する前記軸方向の締付力を、前記第２テーパ面と当接する前記貫通板を介して前記抜け止め部を前記幅方向の前記孔部側に引き付ける引付力に変換する方向に傾斜を有することが好ましい。【００１８】
また、上記のバッテリー端子において、前記環状部の前記幅方向の端部であって前記スペーサと当接する端部に、前記スペーサの前記第１テーパ面と当接する第３テーパ面が形成されることが好ましい。【００１９】
また、上記のバッテリー端子において、前記締結部材支持部は、前記保持部材の前記他端部にて前記軸方向に貫通して設けられる孔部を含み、前記締結部材は、前記保持部材の前記孔部に前記軸方向周りに回転可能に支持されるボルトであり、前記被締結部材は、前記軸方向に対して前記保持部材を挟んで前記ボルトと対向し該ボルトと螺合するナットであり、前記押圧力変換部材は、前記ボルトと前記保持部材との間にて前記ボルトに貫通されて配置され、前記軸方向周りの回転を規制されたスペーサであり、前記スペーサには、前記環状部の前記幅方向の端部であって前記環状部保持部によって保持された端部とは反対側の端部に当接する第１テーパ面が形成され、前記スペーサに設けられる前記第１テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記スペーサが前記環状部を押圧する前記幅方向の押圧力に変換する方向に傾斜を有することが好ましい。【００２０】
また、上記のバッテリー端子において、前記保持部材の前記他端部の縁端に設けられ、前記軸方向の前記ボルトが配置される側に突設される縁端突設部を有し、前記孔部は、前記幅方向に沿った長穴形状であり、前記スペーサには、前記幅方向に対して前記第１テーパ面の背面側に設けられ、前記保持部材の前記縁端突設部と当接する第２テーパ面が形成され、前記スペーサに設けられる前記第２テーパ面は、前記ボルトが前記軸方向周りの回転に伴って、前記軸方向に沿って前記ナット側に接近した際に、前記ボルトと前記ナットとの間に発生する前記軸方向の締付力を、前記第２テーパ面と当接する前記縁端突設部を介して前記保持部材の前記環状部保持部を前記幅方向の前記締結部材支持部側に引き付ける引付力に変換する方向に傾斜を有することが好ましい。【００２１】
また、上記のバッテリー端子において、前記バッテリーポストは、バッテリー筐体の上面に形成された凹部の底面に立設され、前記締結部材は、前記バッテリーポストが前記ポスト挿入孔に挿入され、かつ、前記締結部材支持部に支持された状態で、少なくとも一部が前記軸方向に沿って前記上面から突出した位置に支持されることが好ましい。【００２２】
また、上記のバッテリー端子において、前記被締結部材は、前記貫通板の前記他端部にて前記軸方向に貫通して設けられた螺合孔を含み、前記締結部材は、前記軸方向周りに前記螺合孔に回転可能に支持されるボルトであり、前記締結部材支持部は、前記螺合孔を含み、前記押圧力変換部材は、前記ボルトと前記貫通板との間にて前記ボルトに貫通されて配置され、前記軸方向周りの回転を規制されたスペーサと、前記環状部の前記幅方向の端部において前記環状部と一体的に形成され、前記貫通板に対して前記幅方向に相対移動可能に設けられ、前記スペーサと当接するテーパ状部と、を有し、前記スペーサには、前記テーパ状部と当接する第１テーパ面が形成され、前記テーパ状部には、前記第１テーパ面と当接する第２テーパ面が形成され、前記スペーサに設けられる前記第１テーパ面と、前記テーパ状部に設けられる前記第２テーパ面は、前記ボルトが前記軸方向周りの回転に伴って、前記軸方向に沿って前記螺合孔側に接近した際に、前記ボルトと前記螺合孔との間に発生する前記軸方向の締付力を、前記環状部の前記スリットの間隔を縮小する方向に前記スペーサが前記テーパ状部を押圧する前記幅方向の押圧力に変換する方向に傾斜を有することが好ましい。【００２３】
また、上記のバッテリー端子において、前記抜け止め部は、前記貫通板の前記一端部に設けられた切欠き部と、前記切欠き部に嵌合することで前記貫通板と直交配置される板状部材と、を有することが好ましい。
【発明の効果】
【００２４】
本発明に係るバッテリー端子は、押圧力変換部材の作用によって、軸方向周りの締結部材の回転に伴って発生する軸方向の締付力を、環状部のスリットの間隔を縮小する幅方向の押圧力に変換することで、環状部をバッテリーポストに締結することができる。つまり、従来のように、締結部材を回転させるための工具をバッテリーポストの側方、すなわちバッテリーの側方からセットして回転操作するための作業スペースを確保する必要がなくなり、例えば、比較的作業スペースを取りやすいバッテリーの鉛直方向上方から操作することが可能となる。このように、本発明に係るバッテリー端子は、バッテリーポストに締結する際に必要なバッテリー周囲の作業スペースを低減できる、という効果を奏する。
【図面の簡単な説明】
【００２５】
【図１】図１は、本発明の第一実施形態に係るバッテリー端子の概略構成を示す斜視図である。
【図２】図２は、図１中のＬ１矢視図である。
【図３】図３は、図１に示すバッテリー端子の分解斜視図である。
【図４】図４は、図１に示すバッテリー端子をバッテリーに取り付けた状態を示す斜視図である。
【図５】図５は、本発明の第一実施形態に係るバッテリー端子をバッテリーポストに締結する前の状態を示す模式図である。
【図６】図６は、本発明の第一実施形態に係るバッテリー端子をバッテリーポストに締結した後の状態を示す模式図である。
【図７】図７は、本発明の第二実施形態に係るバッテリー端子の概略構成を示す斜視図である。
【図８】図８は、図７に示すバッテリー端子の分解斜視図である。
【図９】図９は、本発明の第二実施形態に係るバッテリー端子をバッテリーポストに締結する前の状態を示す模式図である。
【図１０】図１０は、本発明の第二実施形態に係るバッテリー端子をバッテリーポストに締結した後の状態を示す模式図である。
【図１１】図１１は、本発明の第三実施形態に係るバッテリー端子の概略構成を示す斜視図である。
【図１２】図１２は、図１１に示すバッテリー端子の分解斜視図である。
【図１３】図１３は、本発明の第三実施形態に係るバッテリー端子をバッテリーポストに締結する前の状態を示す模式図である。
【図１４】図１４は、本発明の第三実施形態に係るバッテリー端子をバッテリーポストに締結した後の状態を示す模式図である。
【図１５】図１５は、本発明の第四実施形態に係るバッテリー端子の概略構成を示す斜視図である。
【図１６】図１６は、図１５中のＬ２矢視図である。
【図１７】図１７は、図１５中のＬ３矢視図である。
【図１８】図１８は、図１５中のＬ４矢視図であり、図１５に示す第四実施形態のバッテリー端子をバッテリーに取り付けた状態を示す側面図である。
【図１９】図１９は、本発明の第五実施形態に係るバッテリー端子の概略構成を示す斜視図である。
【図２０】図２０は、図１９に示すバッテリー端子の分解斜視図である。
【図２１】図２１は、図１９中のＬ５矢視図である。
【図２２】図２２は、図１９中のＬ６矢視図である。
【図２３】図２３は、本発明の第六実施形態に係るバッテリー端子の概略構成を示す斜視図である。
【図２４】図２４は、図２３に示すバッテリー端子の分解斜視図である。
【図２５】図２５は、図２３中のＬ７矢視図である。
【図２６】図２６は、図２３中のＬ８矢視図である。
【図２７】図２７は、本発明の第七実施形態に係るバッテリー端子の概略構成を示す斜視図である。
【図２８】図２８は、図２７に示すバッテリー端子の分解斜視図である。
【図２９】図２９は、図２７中のＬ９矢視図である。
【図３０】図３０は、図２７中のＬ１０矢視図である。
【図３１】図３１は、本発明の第八実施形態に係るバッテリー端子の概略構成を示す斜視図である。
【図３２】図３２は、図３１に示すバッテリー端子の分解斜視図である。
【図３３】図３３は、図３１中のＬ１１矢視図である。
【図３４】図３４は、図３１中のＬ１２矢視図である。
【図３５】図３５は、本発明の第九実施形態に係るバッテリー端子の概略構成を示す斜視図である。
【図３６】図３６は、図３５に示すバッテリー端子の分解斜視図である。
【発明を実施するための形態】
【００２６】
以下に、本発明に係るバッテリー端子の実施形態を図面に基づいて説明する。なお、以下の図面において、同一または相当する部分には同一の参照番号を付し、その説明は繰り返さない。
【００２７】
［第一実施形態］
図１〜６を参照して第一実施形態を説明する。まず図１〜４を参照して、第一実施形態に係るバッテリー端子１の構成について説明する。図１は、本発明の第一実施形態に係るバッテリー端子の概略構成を示す斜視図であり、図２は、図１中のＬ１矢視図であり、図３は、図１に示すバッテリー端子の分解斜視図であり、図４は、図１に示すバッテリー端子をバッテリーに取り付けた状態を示す斜視図である。
【００２８】
本実施形態に係るバッテリー端子１は、図４に示すように、バッテリー５０のバッテリーポスト５１に組み付けられるものである。バッテリー端子１は、バッテリーポスト５１に取り付けられることにより、バッテリー５０と、このバッテリー５０が搭載される車両等の本体側の電線の末端に設けられた金具等とを電気的に接続するための部品である。
【００２９】
なお、以下の説明では、バッテリーポスト５１の中心軸線Ｘに沿った方向を「軸方向」という。またここでは、以下の説明を分かり易くするために、便宜的に当該軸方向と直交する２方向のうち一方を長辺方向（幅方向）、他方を短辺方向という。これら軸方向、長辺方向、及び、短辺方向は互いに直交する。
【００３０】
ここで、このバッテリー端子１が適用されるバッテリー５０は、例えば、車両等に蓄電装置として搭載されるものである。バッテリー５０は、図４に示すように、バッテリー液や当該バッテリー５０を構成する種々の部品を収容するバッテリー筐体１５２、当該バッテリー筐体１５２に設けられた上述のバッテリーポスト５１等を含んで構成される。バッテリー筐体１５２は、いずれか１つの面が開放された略矩形箱状の筐体本体１５３と、上記開放された面を閉塞させる蓋部材１５４とを含んで構成され、全体として略直方体形状に形成される。ここでは、バッテリー筐体１５２は、長辺方向に沿った方向が長辺、短辺方向に沿った方向が短辺となるがこれに限らない。バッテリーポスト５１は、鉛等により構成され、蓋部材１５４のポスト立設面１５５に立設される。ポスト立設面１５５は、バッテリー筐体１５２においてバッテリーポスト５１が立設される面である。ここでは、当該ポスト立設面１５５は、例えば、バッテリー５０が車両等に搭載された状態で、蓋部材１５４の鉛直方向上側の上面である。バッテリーポスト５１は、略円柱形状であり、中心軸線Ｘがポスト立設面１５５と直交するような位置関係で当該ポスト立設面１５５上に突出するようにして立設される。より詳細には、本実施形態のバッテリーポスト５１は、ポスト立設面１５５の角位置近傍に形成された凹部１５６内に立設される。当該凹部１５６は、ポスト立設面１５５の角位置近傍において略矩形状に陥没した部分である。つまり、バッテリーポスト５１は、バッテリー筐体１５２の上面であるポスト立設面１５５に形成された凹部１５６の底面に立設されている。バッテリーポスト５１は、典型的には、軸方向の先端側に進むにつれて径が小さくなるようテーパが付けられている。つまり、バッテリーポスト５１は、先端の外径が基端の外径より小さいテーパ形状となる。なお、以下の説明では、バッテリー５０が車両等に搭載された状態で、バッテリーポスト５１の軸方向が鉛直方向に沿った方向となり、上述の長辺方向、短辺方向が水平方向に沿った方向となる場合を説明する。バッテリー端子１は、上記のように構成されるバッテリーポスト５１に締結される。
【００３１】
本実施形態のバッテリー端子１は、バッテリーポスト５１に締結する場合に、締結部材（後述の締結ボルト２７）を鉛直方向上側から締め付けていく形式の端子である。そして、本実施形態のバッテリー端子１は、軸方向に沿った方向に発生する締結部材による締付力を、軸方向と交差する締め付け方向（幅方向）の押圧力に変換し、当該押圧力によってバッテリー端子１においてバッテリーポスト５１が挿入される部分を押圧することで、バッテリーポスト５１に締結されるものである。このとき、本実施形態のバッテリー端子１は、締結部材を鉛直方向上側から締め付ける構成とすることで、締結部材を締め付けるための工具の作業スペースをバッテリー５０の上方として、バッテリー５０の側方の作業スペースの低減を図ったものである。
【００３２】
具体的には、本実施形態のバッテリー端子１は、図１，２に示すように、本体部２１と、スタッドボルト２２と、締付部２３とを備える。なお、以下の説明では、バッテリー端子１がバッテリーポスト５１に取り付けられた状態で軸方向、長辺方向、短辺方向となる方向を、それぞれ単に「軸方向」、「長辺方向」、「短辺方向」という場合がある。
【００３３】
図１〜３に示すように、本実施形態の本体部２１は、上側分割体２４と下側分割体２５との二層分割構造となっている。ここでは、本体部２１は、バッテリー端子１がバッテリーポスト５１に取り付けられた状態で、上側分割体２４が鉛直方向上側、下側分割体２５が鉛直方向下側となって軸方向（鉛直方向）に対向し積層された状態となる。上側分割体２４と下側分割体２５との積層方向は、バッテリー端子１がバッテリーポスト５１に取り付けられた状態で、バッテリーポスト５１の軸方向に沿った方向であり、ここでは後述のスタッドボルト２２の軸部２２ａが突出する側を積層方向上側、反対側を積層方向下側とする。また、積層方向上側とは、バッテリーポスト５１の先端側に相当し、積層方向下側とは、バッテリーポスト５１の基端側に相当する。つまり、本体部２１は、上側分割体２４が積層方向上側、下側分割体２５が積層方向下側となる。
【００３４】
上側分割体２４、下側分割体２５は、例えば、導電性を有する金属板のプレス折り曲げ加工により、それぞれ、環状部２４ａ，２５ａ、ボルト保持部２４ｂ，２５ｂ等が一体で形成される。本実施形態の本体部２１は、上側分割体２４と下側分割体２５との二層分割構造とすることで、例えば、より小型なプレス機によって簡易に製造することができる。      
【００３５】
一対の環状部２４ａ，２５ａは、略円環形状に形成され、それぞれバッテリーポスト５１が挿入される略円形状のポスト挿入孔２４ｃ，２５ｃ、及び、ポスト挿入孔２４ｃ、２５ｃと連続するスリット（間隙）２４ｄ，２５ｄが形成される。
【００３６】
ポスト挿入孔２４ｃとポスト挿入孔２５ｃとは、上側分割体２４と下側分割体２５とが上下に積層されてバッテリーポスト５１に取り付けられた状態で、積層方向に対向する位置関係となるように、それぞれ環状部２４ａ，２５ａに形成される。ポスト挿入孔２４ｃ，２５ｃは、板金が同一の方向、ここでは上側に折り返されることでそれぞれ内周壁面が形成される。ポスト挿入孔２４ｃ，２５ｃは、それぞれの内周壁面に上述したバッテリーポスト５１のテーパに対応したテーパを有している。ここでは、ポスト挿入孔２４ｃとポスト挿入孔２５ｃとのうち後述するスタッドボルト２２の軸部２２ａが突出する側、すなわち、ポスト挿入孔２４ｃ側の内径が最小となり、反対側のポスト挿入孔２５ｃ側の内径が最大となる。ポスト挿入孔２４ｃ，２５ｃは、バッテリーポスト５１が挿入された状態で、各内周面がバッテリーポスト５１と接触する。
【００３７】
スリット２４ｄとスリット２５ｄとは、上側分割体２４と下側分割体２５とが上下に積層されてバッテリーポスト５１に取り付けられた状態で、積層方向に対向する位置関係となるように、それぞれ環状部２４ａ，２５ａに形成される。ここでは、スリット２４ｄ，２５ｄは、ポスト挿入孔２４ｃ，２５ｃから環状部２４ａ，２５ａの一部を分断するように形成される。また、環状部２４ａ，２５ａは、スリット２４ｄ，２５ｄが形成されている側の端部に、後述の締付部２３によって保持されて締め付けられる板状突出部２４ｅ，２５ｅを有している。板状突出部２４ｅは、当該環状部２４ａにおいてポスト挿入孔２４ｃが形成されている部分と段付部等を介さずに連続するようにして一体で形成される。同様に、板状突出部２５ｅも、当該環状部２５ａにおいてポスト挿入孔２５ｃが形成されている部分と段付部等を介さずに連続するようにして一体で形成される。スリット２４ｄは、ポスト挿入孔２４ｃから板状突出部２４ｅを貫通している。スリット２５ｄは、ポスト挿入孔２５ｃから、板状突出部２５ｅを貫通している。
【００３８】
図３に示すように、板状突出部２４ｅは、長辺方向の両端がそれぞれ下側に折り曲げられており、その下側に折り曲げられた縁端部２４ｈには、後述する貫通板２６（保持部材）を貫通させるための孔部２４ｉがそれぞれ設けられている。一方、板状突出部２５ｅは、長辺方向の両端がそれぞれ上側に折り曲げられており、その上側に折り曲げられた縁端部２５ｈにも、後述する貫通板２６を貫通させるための孔部２５ｉが設けられている。上側分割体２４の縁端部２４ｈと、下側分割体２５の縁端部２５ｈとは、上側分割体２４及び下側分割体２５が組み合わされた状態で相互に重畳し、それぞれに設けられた孔部２４ｉと、孔部２５ｉとが長辺方向で貫通するよう形成されている。
【００３９】
すなわち、スリット２４ｄにより分断される板状突出部２４ｅと、それぞれに接続されている縁端部２４ｈとは、環状部２４ｃの一端部及び他端部とも表現することができる。同様に、スリット２５ｄにより分断される板状突出部２５ｅと、それぞれに接続されている縁端部２５ｈとは、環状部２５ｃの一端部及び他端部とも表現することができる。
【００４０】
図３に示すように、一対のボルト保持部２４ｂ，２５ｂは、略矩形状に形成される。ボルト保持部２４ｂは、環状部２４ａのスリット２４ｄが形成される側、すなわち、板状突出部２４ｅが形成された側とは反対側に段付部２４ｆ等を介して連続するようにして一体で形成される。ボルト保持部２５ｂは、環状部２５ａのスリット２５ｄが形成される側、すなわち、板状突出部２５ｅが形成された側とは反対側に段付部等を介さずに連続するようにして一体で形成される。ボルト保持部２４ｂは、スタッドボルト２２が挿入される略円形状のボルト挿入孔２４ｇが形成される。ボルト保持部２５ｂは、上側分割体２４と下側分割体２５とを組み付ける際にスタッドボルト２２がスライドするスライド孔２５ｇが形成される。
【００４１】
ここで、ボルト保持部２４ｂ，２５ｂが保持するスタッドボルト２２は、ボルト保持部２４ｂとボルト保持部２５ｂとの間に保持された状態で、スライド孔２５ｇ、及び、ボルト挿入孔２４ｇから軸部２２ａが突出するようにして露出する。スタッドボルト２２は、ボルト挿入孔２４ｇから露出した当該軸部２２ａに電線の末端に設けられた金具等が電気的に接続される。ボルト保持部２４ｂ，２５ｂは、スタッドボルト２２の軸部２２ａが立設される矩形板状の台座部分を保持できるように所定の折り返し部が形成されている。
【００４２】
本体部２１は、組み立ての際には、まず、矩形板状の台座部分に軸部２２ａが立設されたスタッドボルト２２が上側分割体２４に組み付けられる。このとき、スタッドボルト２２は、ボルト挿入孔２４ｇに軸部２２ａが挿入され、当該軸部２２ａが当該ボルト挿入孔２４ｇから露出した状態で、かつ、矩形板状の台座部分がボルト保持部２４ｂの折り返し部内に保持された状態となる。そして、上側分割体２４のボルト保持部２４ｂにスタッドボルト２２が保持された状態で、下側分割体２５は、ボルト保持部２４ｂの段付部２４ｆ側から、上側分割体２４に組み付けられる。より詳細には、スライド孔２５ｇが形成されたボルト保持部２５ｂの上板部分が、ボルト保持部２４ｂの上板部分と、スタッドボルト２２の台座部分との間に挿入されるようにして、上側分割体２４に組み付けられる。このとき、ボルト保持部２５ｂに形成されたスライド孔２５ｇが、スタッドボルト２２の軸部２２ａの周囲をスライドしていく。
【００４３】
そして、本体部２１は、上側分割体２４の環状部２４ａ及びボルト保持部２４ｂと、下側分割体２５の環状部２５ａ及びボルト保持部２５ｂとが上下に対向するような位置関係で積層された状態となる。本体部２１は、このように上側分割体２４と下側分割体２５とが積層された状態で、ボルト保持部２４ｂとボルト保持部２５ｂとによってスタッドボルト２２が保持される。そして、本体部２１は、ボルト保持部２４ｂとボルト保持部２５ｂとによってスタッドボルト２２が保持された状態で、後述の締付部２３によって保持され、一体化される。
【００４４】
また、本実施形態の本体部２１は、上側分割体２４と下側分割体２５との二層分割構造としているが、これに限らず、例えば、屈曲連結部等を介して上側分割体２４と下側分割体２５とが一体で形成され、曲げ加工されるものであってもよい。この場合、一対のボルト保持部２４ｂ，２５ｂは、例えば、折り曲げ加工の前に事前にボルト挿入孔２４ｇにスタッドボルト２２が挿入された状態で折り曲げ加工されることで、屈曲連結部を介して上下に積層された状態で当該スタッドボルト２２を保持する。
【００４５】
締付部２３は、ポスト挿入孔２４ｃ，２５ｃ内にバッテリーポスト５１が挿入された状態で、一対の環状部２４ａ，２５ａを当該バッテリーポスト５１に締結するものである。本実施形態の締付部２３は、貫通板２６と、締結ボルト２７（締結部材）と、スペーサ２８（押圧力変換部材）とを備える。
【００４６】
貫通板２６は、長辺方向に沿って、スリット２４ｄ，２５ｄと、板状突出部２４ｅ，２５ｅと、を貫通して配置される板状部材である。言い換えると、貫通板２６は、環状部２４ａ，２５ａの一端部からスリット２４ｄ，２５ｄを挟んで環状部２４ａ，２５ａの他端部までを貫通する。貫通板２６は、上側分割体２４の縁端部２４ｈに設けられた孔部２４ｉと、下側分割体２５の縁端部２５ｈに設けられた孔部２５ｉとを貫通させることで、スリット２４ｄ，２５ｄを横断するように、長辺方向に沿って本体部２１に取り付けられる。
【００４７】
貫通板２６は、その一端部に抜け止め部２６ａ（環状部保持部）を有する。抜け止め部２６ａは、貫通板２６が環状部２４ａ，２５ａの両端を貫通した状態、すなわち、貫通板２６が孔部２４ｉ，２５ｉを貫通して本体部２１に取り付けられた状態において、この抜け止め部２６ａが設けられる一端部と反対側の他端部側へ貫通板２６が本体部２１から抜け出すのを防止する。具体的には、抜け止め部２６ａは、短辺方向において、孔部２４ｉ，２５ｉの内径より長い寸法で形成されており、貫通板２６が孔部２４ｉ，２５ｉを通って他端部側に所定量入ると縁端部２４ｈ，２５ｈに突き当たるように構成されている。        
【００４８】
また、貫通板２６は、抜け止め部２６ａが設けられる一端部と反対側の他端部に、軸方向に貫通して螺合孔２６ｂ（締結部材支持部、被締結部材）が設けられている。螺合孔２６ｂは、締結ボルト２７を軸方向の所定位置で支持する機能も有する。
【００４９】
なお、貫通板２６は、長辺方向に沿って、環状部２４ａ，２５ａの一端部からスリット２４ｄ，２５ｄを挟んで環状部２４ａ，２５ａの他端部まで延在して配置される保持部材としても機能するものである。また、抜け止め部２６ａは、保持部材としての貫通板２６の一端部に設けられ、環状部２４ａ，２５ａを保持する環状部保持部としても機能するものである。
【００５０】
締結ボルト２７（以降では単に「ボルト」とも表記する）は、螺合溝が形成された軸部２７ａと、軸部２７ａの一端部に一体形成される頭部２７ｂとを有する。軸部２７ａは、貫通板２６の螺合孔２６ｂと螺合する部分である。頭部２７ｂは、締結ボルト２７を軸部２７ａ周りに回転させるために工具等によって把持される部分である。締結ボルト２７は、軸方向に沿った所定の位置で、貫通板２６の螺合孔２６ｂに軸方向周りに回転可能に支持されると共に、軸部２７ａがこの螺合孔２６ｂに軸方向に沿って螺合する。さらに、締結ボルト２７は、頭部２７ｂの座面に、軸方向周りの全周に亘ってボルト側テーパ面２７ｃ（テーパ面）が形成されている。ボルト側テーパ面２７ｃは、締結ボルト２７が螺合孔２６ｂに螺合している状態において、後述するスペーサ２８のスペーサ側テーパ面２８ｄと接触状態を維持するように形成されている。
【００５１】
本実施形態の締結ボルト２７は、図４等に示すように、バッテリーポスト５１がポスト挿入孔２４ｃ，２５ｃに挿入され、かつ、貫通板２６の螺合孔２６ｂに支持された状態で、少なくとも一部が軸方向に沿ってバッテリー筐体１５２の上面（ポスト立設面１５５）から突出した位置に支持される。
【００５２】
スペーサ２８は、螺合孔２６ｂに螺合された状態の締結ボルト２７と、本体部２１の縁端部２５ｈとの間に配置され、両者の相対位置を調整する。スペーサ２８は、略直方体形状の部材である。スペーサ２８には、長辺方向で対向して配置される一端面２８ｂと他端面２８ｃとの間を貫通する貫通孔２８ａが設けられている。貫通孔２８ａは、孔部２４ｉ，２５ｉと略同等の大きさであり、この貫通孔２８ａに貫通板２６が貫通している。これにより、スペーサ２８は貫通板２６に対して長辺方向に相対移動可能となっている。スペーサ２８の長辺方向の一端面２８ｂは、貫通板２６の螺合孔２６ｂが設けられた端部（他端部）側から、環状部２４ａの縁端部２４ｈと当接している。スペーサ２８の長辺方向の他端面２８ｃには、軸方向に沿って締結ボルト２７の軸部２７ａの少なくとも一部を嵌合する嵌合溝２８ｅが設けられると共に、この嵌合溝２８ｅの軸方向の上端にスペーサ側テーパ面２８ｄ（テーパ面）が形成されている。スペーサ側テーパ面２８ｄは、締結ボルト２７が螺合孔２６ｂに螺合している状態において、締結ボルト２７のボルト側テーパ面２７ｃと接触状態を維持するように形成されている。
【００５３】
ここで、締結ボルト２７に設けられるボルト側テーパ面２７ｃと、スペーサ２８に設けられるスペーサ側テーパ面２８ｄとは、締結ボルト２７が軸方向周りの回転に伴って螺合孔２６ｂ側に接近した際に、締結ボルト２７と貫通板２６との間に発生する締付力によって締結ボルト２７がスペーサ２８を押圧する軸方向の押圧力Ｆ１（図６参照）を、環状部２４ａ，２５ａのスリット２４ｄ，２５ｄの間隔を縮小する方向にスペーサ２８が環状部２４ａ，２５ａの縁端部２４ｈ，２５ｈを押圧する長辺方向の押圧力Ｆ２（図６参照）に変換する方向に傾斜を有するように形成されている。本実施形態では、締結ボルト２７に設けられたボルト側テーパ面２７ｃは、軸方向下側の水平方向の断面積が上側より小さい円錐台の側面であり、締結ボルト２７の軸心を中心として、軸方向上側に進むほど軸心周りの長さが広がるような傾斜を有している。一方、スペーサ２８に設けられたスペーサ側テーパ面２８ｄは、軸方向下側の水平方向の断面積が上側より小さい逆円錐台形状の側面であり、締結ボルト２７の軸心を中心として、軸方向上側に進むほど軸心周りの長さが広がるような傾斜を有している。
【００５４】
つまり、スペーサ２８は、締結ボルト２７と、環状部２４ａ，２５ａの縁端部２４ｈ，２５ｈとの間にて、両者と当接して配置され、軸方向周りの締結ボルト２７の回転に伴って発生する軸方向の締付力を、ボルト側テーパ面２７ｃ及びスペーサ側テーパ面２８ｄを介して、環状部２４ａ，２５ａのスリット２４ｄ，２５ｄの間隔を縮小する方向に環状部２４ａ，２５ａの縁端部２４ｈ，２５ｈを押圧する長辺方向の押圧力に変換する押圧力変換部材として機能する。
【００５５】
次に、図５，６を参照して、本実施形態に係るバッテリー端子１の動作について説明する。図５は、本発明の第一実施形態に係るバッテリー端子をバッテリーポストに締結する前の状態を示す模式図であり、図６は、本発明の第一実施形態に係るバッテリー端子をバッテリーポストに締結した後の状態を示す模式図である。
【００５６】
図５に示すように、バッテリー端子１は、貫通板２６が、板状突出部２４ｅの縁端部２４ｈに設けられた孔部２４ｉと、板状突出部２５ｅの縁端部２５ｈに設けられた孔部２５ｉを貫通するよう挿入されることで、本体部２１の板状突出部２４ｅ及び板状突出部２５ｅが一体化される。この状態で、貫通板２６の抜け止め部２６ａと反対側の端部に、スペーサ２８の貫通孔２８ａが嵌合されて、スペーサ２８が本体部２１の長辺方向外側にて、貫通板２６に沿って移動可能に取り付けられる。スペーサ２８の本体部２１側の一端面２８ｂを、板状突出部２４ｅの縁端部２４ｈと接触するまで貫通板２６の奥に入れ込んで、貫通板２６上の螺合孔２６ｂの全体を露出させる。そして、鉛直方向上方から締結ボルト２７が螺合孔２６ｂに螺合されることで、バッテリー端子１は一体的に組み立てられる。図５に示す状態は、締結ボルト２７のボルト側テーパ面２７ｃの下端領域が、スペーサ２８のスペーサ側テーパ面２８ｄの上端領域と接している状態を示しており、締結ボルト２７をさらに下方まで進出可能な状態である。このとき、環状部２４ａ，２５ａのスリット２４ｄ，２５ｄは最大幅に広がっており、ポスト挿入孔２４ｃ，２５ｃの内径は、バッテリーポスト５１の外径より大きい。この状態が、バッテリー端子１をバッテリーポスト５１に締結する前の状態である。
【００５７】
バッテリー端子１は、図５に示す状態でポスト挿入孔２４ｃ，２５ｃにバッテリーポスト５１が挿入されることで、バッテリーポスト５１に組み付けられる。そして、バッテリー端子１は、ポスト挿入孔２４ｃ，２５ｃの内周面とバッテリーポスト５１の外周面とが接触した状態で、締結ボルト２７が鉛直方向（軸方向）上側から締め付けられることで、スリット２４ｄ，２５ｄを挟んで環状部２４ａ，２５ａの両側が接近方向に締め付けられ、これにより、バッテリーポスト５１に締結される。
【００５８】
より詳細には、図６に示すように、締結ボルト２７の頭部２７ｂが工具等によって軸方向（軸部２７ａ）周りに回転されることで、締結ボルト２７が軸方向に沿って螺合孔２６ｂ（貫通板２６）側に接近すると、締結ボルト２７と貫通板２６との間に軸方向の締付力Ｆ１（「押圧力Ｆ１」とも表記する）が発生する。この軸方向の締付力Ｆ１によって、締結ボルト２７は、ボルト側テーパ面２７ｃを介して、スペーサ２８のスペーサ側テーパ面２８ｄを軸方向に押圧する。この軸方向の押圧力Ｆ１（締結力Ｆ１）は、ボルト側テーパ面２７ｃ及びスペーサ側テーパ面２８ｄによって、長辺方向の押圧力Ｆ２に変換されて、スペーサ２８に伝達される。スペーサ２８は、伝達された長辺方向の押圧力Ｆ２により、環状部２４ａ，２５ａの縁端部２４ｈ，２５ｈを、環状部２４ａ，２５ａのスリット２４ｄ，２５ｄの間隔を縮小する方向に押圧する。スペーサ２８は、スリット２４ｄ，２５ｄの間隔が狭まるのに応じて、貫通板２６上を反対側端部の抜け止め部２６ａの方向に移動できるので、締結ボルト２７から押圧力Ｆ１を受ける間、環状部２４ａ，２５ａの縁端部２４ｈ，２５ｈとの接触を維持して、押圧力Ｆ２を付加し続けることができる。このとき、環状部２４ａ，２５ａが押圧力Ｆ２を受ける側と反対側では、貫通板２６の抜け止め部２６ａによって、環状部２４ａ，２５ａが押圧力Ｆ２に対して長辺方向に逃げるのを規制されている。この結果、バッテリー端子１は、スペーサ２８による押圧力Ｆ２によって、環状部２４ａの板状突出部２４ｅと共に環状部２５ａの板状突出部２５ｅが貫通板２６の抜け止め部２６ａ側に押圧されることで、スリット２４ｄ，２５ｄの間隔が狭まる。
【００５９】
したがって、バッテリー端子１は、締結ボルト２７の回転に伴い、ボルト側テーパ面２７ｃ及びスペーサ側テーパ面２８ｄにより発生する長辺方向の押圧力Ｆ２によって、スリット２４ｄ，２５ｄの間隔が狭められることで、ポスト挿入孔２４ｃ，２５ｃの内周面とバッテリーポスト５１の外周面とが接触した状態でポスト挿入孔２４ｃ，２５ｃの径が縮小され、バッテリーポスト５１に締結される。そして、バッテリー端子１は、スタッドボルト２２の軸部２２ａに電線の末端に設けられた金具等が電気的に接続される。
【００６０】
ここでは、締結ボルト２７は、図４で説明したように、締め付け作業が行われる状態で、少なくとも頭部２７ｂを含む一部が軸方向に沿ってバッテリー筐体１５２の上面（ポスト立設面１５５）から突出した位置に支持され、締め付けが行われてもこの位置が維持される。この結果、このバッテリー端子１は、少なくとも締結ボルト２７の頭部２７ｂを含む一部が軸方向に沿ってバッテリー筐体１５２の上面から突出した状態で、締結ボルト２７の締め付け作業を完結することができる。
【００６１】
一方、バッテリー端子１は、締結ボルト２７が逆回転に回転されることで、ボルト側テーパ面２７ｃ及びスペーサ側テーパ面２８ｄにより発生する長辺方向の押圧力Ｆ２が弱まり、スリット２４ｄ，２５ｄの間隔が広がり、ポスト挿入孔２４ｃ，２５ｃの径が拡大され、バッテリーポスト５１から取り外し可能な状態となる。
【００６２】
次に、本実施形態に係るバッテリー端子１の効果を説明する。
【００６３】
本実施形態のバッテリー端子１は、バッテリーポスト５１が挿入されるポスト挿入孔２４ｃ，２５ｃ、及び、このポスト挿入孔２４ｃ，２５ｃと連続するスリット２４ｄ，２５ｄが形成された環状部２４ａ，２５ａと、バッテリーポスト５１の軸方向と交差する方向であって、スリット２４ｄ，２５ｄを横断する方向である長辺方向に沿って、環状部２４ａ，２５ａの一端部からスリット２４ｄ，２５ｄを挟んで環状部２４ａ，２５ａの他端部までを貫通して配置される貫通板２６と、貫通板２６の一端部に設けられ、貫通板２６の環状部２４ａ，２５ａからの抜け出しを防止する抜け止め部２６ａと、貫通板２６の他端部に設けられる締結部材支持部としての螺合孔２６ｂと、螺合孔２６ｂに軸方向に回転可能に支持される締結部材としての締結ボルト２７と、を備える。螺合孔２６ｂは、締結ボルト２７と螺合する被締結部材としても機能する。バッテリー端子１は、さらに、貫通板２６の螺合孔２６ｂが設けられる端部側から環状部２４ａ，２５ａの縁端部２４ｈ，２５ｈと当接して配置され、軸方向周りの締結ボルト２７の回転に伴って締結ボルト２７と螺合孔２６ｂとの間に発生する軸方向の締付力Ｆ１を、長辺方向（幅方向）のうち環状部２４ａ，２５ａのスリット２４ｄ，２５ｄの間隔を縮小する方向に環状部２４ａ，２５ａを押圧する長辺方向の押圧力Ｆ２に変換する押圧力変換部材としてのスペーサ２８と、を備える。
【００６４】
この構成により、押圧力変換部材としてのスペーサ２８の作用によって、軸方向周りの締結ボルト２７の回転に伴って発生する軸方向の締付力Ｆ１を、環状部２４ａ，２５ａのスリット２４ｄ，２５ｄの間隔を縮小する長辺方向の押圧力Ｆ２に変換することで、環状部２４ａ，２５ａをバッテリーポスト５１に締結することができる。つまり、締結ボルト２７をバッテリーポスト５１の軸方向周り、すなわち鉛直方向周りに回転操作することで、バッテリー端子１をバッテリーポスト５１に締結することができる。これにより、従来のように、締結ボルト２７を回転させるための工具をバッテリーポスト５１の側方、すなわちバッテリー５０の側方からセットして回転操作するための作業スペースを確保する必要がなくなり、例えば、比較的作業スペースを取りやすいバッテリー５０の鉛直方向上方から操作することが可能となる。このように、本実施形態のバッテリー端子１によれば、バッテリー端子１をバッテリーポスト５１に締結する際に必要なバッテリー５０の周囲の作業スペースを低減できる。
【００６５】
また、本実施形態のバッテリー端子１によれば、スペーサ２８と当接する締結ボルト２７の頭部２７ｂの座面には、ボルト側テーパ面２７ｃが形成される。スペーサ２８は、貫通板２６に対して長辺方向に相対移動可能に配置され、長辺方向の一端面２８ｂにて環状部２４ａ，２５ａの縁端部２４ｈ，２５ｈと当接し、長辺方向の他端面２８ｃにて締結ボルト２７の頭部２７ｂと当接する。締結ボルト２７と当接するスペーサ２８の他端面２８ｃには、締結ボルト２７のボルト側テーパ面２７ｃと当接するスペーサ側テーパ面２８ｄが形成されている。締結ボルト２７に設けられるボルト側テーパ面２７ｃ、及び、スペーサ２８に設けられるスペーサ側テーパ面２８ｄは、締結ボルト２７が軸方向周りの回転に伴って螺合孔２６ｂ側に接近した際に、締結ボルト２７と貫通板２６との間に発生する締付力によって締結ボルト２７がスペーサ２８を押圧する軸方向の押圧力Ｆ１を、環状部２４ａ，２５ａのスリット２４ｄ，２５ｄの間隔を縮小する方向にスペーサ２８が環状部２４ａ，２５ａを押圧する長辺方向の押圧力Ｆ２に変換する方向に傾斜を有する。
【００６６】
この構成により、締結ボルト２７に設けられるボルト側テーパ面２７ｃ、及び、スペーサ２８に設けられるスペーサ側テーパ面２８ｄの作用によって、締結ボルト２７の螺合孔２６ｂへの締付操作、すなわち軸方向周りの回転運動から、環状部２４ａ，２５ａのスリット２４ｄ，２５ｄの間隔を縮小する長辺方向の押圧力Ｆ２に効率よく変換することができる。これにより、締付ボルト２７の回転軸を、環状部２４ａ，２５ａの締結方向と同一にする必要がなく、締結ボルト２７の締付操作を行いやすい鉛直方向とすることができるので、バッテリー端子１をバッテリーポスト５１に締結する際の作業性を向上することができる。
【００６７】
さらに、以上で説明したバッテリー端子１によれば、締結ボルト２７は、バッテリーポスト５１がポスト挿入孔２４ｃ，２５ｃに挿入され、かつ、貫通板２６の螺合孔２６ｂに支持された状態で、少なくとも一部が軸方向に沿ってバッテリー筐体１５２の上面から突出した位置に支持される。したがって、バッテリー端子１は、少なくとも締結ボルト２７の一部が軸方向に沿ってバッテリー筐体１５２の上面から突出した状態で、締結ボルト２７の締め付け作業を完結することができるので、例えば、工具等が他の部位に干渉することを抑制し、当該工具等を使った締結ボルト２７の締め込みを行いやすくすることができる。  
なお、上記実施形態では、締結ボルト２７にボルト側テーパ面２７ｃを設け、スペーサ２８にスペーサ側テーパ面２８ｄを設け、ボルト側テーパ面２７ｃ及びスペーサ側テーパ面２８ｄを介して締結ボルト２７からスペーサ２８に押圧力を伝達する構成を例示したが、締結ボルト２７とスペーサ２８との接触状態を維持できれば、ボルト側テーパ面２７ｃまたはスペーサ側テーパ面２８ｄのいずれか一方を設ける構成でもよい。
【００６８】
なお、上記実施形態では、締結ボルト２７と螺合する被締結部材を、貫通板２６上の螺合孔２６ｂとし、締結ボルト２７と貫通板２６との間で軸方向の締付力Ｆ１を発生させる構成を例示したが、被締結部材として別体のナットを有する構成としてもよい。つまり、螺合孔２６ｂをネジ溝の無い単なる孔部に置き換え、軸方向に対して貫通板２６を挟んで締結ボルト２７と反対側（鉛直方向下側）に、締結ボルト２７と螺合するナットを配置し、締結ボルト２７とナットとの間に発生する軸方向の締付力Ｆ１を長辺方向の押圧力Ｆ２に変換する構成としてもよい。
【００６９】
［第二実施形態］
図７〜１０を参照して第二実施形態を説明する。まず図７，８を参照して、第二実施形態に係るバッテリー端子１ａの構成について説明する。図７は、本発明の第二実施形態に係るバッテリー端子の概略構成を示す斜視図であり、図８は、図７に示すバッテリー端子の分解斜視図である。
【００７０】
図７，８に示すように、第二実施形態のバッテリー端子１ａは、締付部３３の構成が第一実施形態のバッテリー端子１と異なるものである。
【００７１】
本実施形態のバッテリー端子１ａは、本体部２１と、スタッドボルト２２と、締付部３３とを備える。締付部３３は、貫通板３６と、締結ボルト３７（締結部材）と、テーパナット３８（被締結部材、押圧力変換部材）とを備える。なお、本体部２１及びスタッドボルト２２については、図７，８に示すように、ポスト挿入孔２４ｃ，２５ｃが、板金を下側に折り返されることでそれぞれ内周壁面を形成している点が、第一実施形態のバッテリー端子１と相違する。なお、以降では、テーパナット３８を単に「ナット」とも表記する場合がある。
【００７２】
貫通板３６は、第一実施形態の貫通板２６と同様に、その一端部に抜け止め部２６ａを有する一方、抜け止め部２６ａが設けられる一端部と反対側の他端部には、第一実施形態の螺合孔２６ｂの代わりに、図８に示すように、その内周にネジ溝を持たず、長辺方向に沿った長穴形状の孔部３６ｂ（締結部材支持部）を有する。さらに、貫通板３６には、孔部３６ｂが設けられる端部側にて、短辺方向の両縁端に、後述するテーパナット３８の直立部３８ｂと係合する係合溝３６ｃが形成されている。係合溝３６ｃは、貫通板３６の短辺方向の端面から貫通板３６の中央方向へ端面と平行に掘り下げられて形成されている。      
【００７３】
締結ボルト３７は、第一実施形態の締結ボルト２７と同様に軸部２７ａを有する一方、ボルト側テーパ面２７ｃを有していない。また、頭部３７ｂは、第一実施形態と比べて軸方向寸法が長い。
【００７４】
テーパナット３８は、軸方向に対して貫通板３６を挟んで締結ボルト３７と対向して配置され、締結ボルト３７と螺合されている。テーパナット３８は、締結ボルト３７の軸部２７ａと螺合する螺合孔を有する方形状の基部３８ａと、この基部３８ａの４辺のうち対向する２辺から鉛直方向上側へ延在する一対の直立部３８ｂとを有する。一対の直立部３８ｂは、例えば基部３８ａを含んで板金で平面形状を形成し、基部３８ａから同一方向に略直角に折り曲げることで形成することができる。基部３８ａは、図７，８に示すように、直立部３８ｂを有する２辺が長辺方向に延在している。テーパナット３８の直立部３８ｂは、長辺方向の一端面３８ｃにて環状部２４ａの縁端部２４ｈと当接している。テーパナット３８は、一対の直立部３８ｂの一端面３８ｃがそれぞれ環状部２４ａの縁端部２４ｈと当接していることにより、軸方向周りの回転が規制されている。つまり、本実施形態では、テーパナット３８が、締結ボルト３７（締結部材）と螺合する被締結部材として機能するものである。
【００７５】
また、テーパナット３８の直立部３８ｂには、一端面３８ｃと長辺方向の反対側にテーパ面３８ｄが形成されている。テーパ面３８ｄは、テーパナット３８が貫通板３６を挟んで締結ボルト３７と螺合している状態において、貫通板３６の係合溝３６ｃと接触状態を維持するように形成されている。より詳細には、テーパ面３８ｄは、貫通板３６の係合溝３６ｃにおいて、長辺方向で対向する一対の端面のうち、貫通板３６の端部に近い方の端面３６ｄ（図８参照）と接触する。なお、この端面３６ｄに、テーパ面３８ｄと同一方向に傾斜をつけ、テーパ面３８ｄとの接触面積を増やすよう構成してもよい。
【００７６】
ここで、テーパナット３８に設けられるテーパ面３８ｄは、軸方向周りの締結ボルト３７の回転に伴ってテーパナット３８が軸方向に沿って締結ボルト３７側に接近した際に、締結ボルト３７とテーパナット３８との間に発生する軸方向の締付力を、環状部２４ａ，２５ａのスリット２４ｄ，２５ｄの間隔を縮小する方向にテーパナット３８が環状部２４ａ，２５ａの縁端部２４ｈ，２５ｈを押圧する長辺方向の押圧力に変換する方向に傾斜を有するよう形成されている。本実施形態では、テーパナット３８に設けられるテーパ面３８ｄは、軸方向に沿って締結ボルト３７の頭部３７ｂ側から離間するにしたがって、直立部３８ｂの長辺方向の幅が徐々に広がるような傾斜を有している。
【００７７】
つまり、テーパナット３８は、締結ボルト３７と、環状部２４ａ，２５ａの縁端部２４ｈ，２５ｈとの間にて、両者と当接して配置され、軸方向周りの締結ボルト３７の回転に伴って発生する軸方向の締付力を、テーパ面３８ｄを介して、環状部２４ａ，２５ａのスリット２４ｄ，２５ｄの間隔を縮小する方向に環状部２４ａ，２５ａの縁端部２４ｈ，２５ｈを押圧する長辺方向の押圧力に変換する押圧力変換部材として機能する。
【００７８】
次に、図９，１０を参照して、本実施形態に係るバッテリー端子１ａの動作について説明する。図９は、本発明の第二実施形態に係るバッテリー端子をバッテリーポストに締結する前の状態を示す模式図であり、図１０は、本発明の第二実施形態に係るバッテリー端子をバッテリーポストに締結した後の状態を示す模式図である。
【００７９】
図９に示すように、バッテリー端子１ａは、貫通板３６が、板状突出部２４ｅの縁端部２４ｈに設けられた孔部２４ｉと、板状突出部２５ｅの縁端部２５ｈに設けられた孔部２５ｉを貫通するよう挿入されることで、本体部２１の板状突出部２４ｅ及び板状突出部２５ｅが一体化される。この状態で、貫通板３６の抜け止め部２６ａと反対側の端部の一対の係合溝３６ｃに、鉛直方向下方から一対の直立部３８ｂがそれぞれ嵌合されて、テーパナット３８が貫通板３６の下方に配置され、貫通板３６の孔部３６ｂに鉛直方向上方から締結ボルト３７が挿入され、テーパナット３８の基部３８ａの螺合孔に螺合されることで、バッテリー端子１ａは一体的に組み立てられる。図９に示す状態は、テーパナット３８のテーパ面３８ｄの上端領域が、貫通板３６の係合溝３６ｃの端面３６ｄと接している状態を示しており、テーパナット３８をさらに上方まで進出可能な状態である。このとき、環状部２４ａ，２５ａのスリット２４ｄ，２５ｄは最大幅に広がっており、ポスト挿入孔２４ｃ，２５ｃの内径は、バッテリーポスト５１の外径より大きい。また、締結ボルト３７の軸部２７ａは、貫通板３６の長穴形状の孔部３６ｂのうち、貫通板３６の端部に近い方（図９では右側）に位置している。この状態が、バッテリー端子１ａがバッテリーポスト５１に締結する前の状態である。
【００８０】
バッテリー端子１ａは、図９に示す状態でポスト挿入孔２４ｃ，２５ｃにバッテリーポスト５１が挿入されることで、バッテリーポスト５１に組み付けられる。そして、バッテリー端子１ａは、ポスト挿入孔２４ｃ，２５ｃの内周面とバッテリーポスト５１の外周面とが接触した状態で、締結ボルト３７が鉛直方向（軸方向）上側から締め付けられることで、スリット２４ｄ，２５ｄを挟んで環状部２４ａ，２５ａの両側が接近方向に締め付けられ、これにより、バッテリーポスト５１に締結される。
【００８１】
より詳細には、図１０に示すように、締結ボルト３７の頭部３７ｂが工具等によって軸方向（軸部２７ａ）周りに回転されることで、締結ボルト３７の軸方向の位置はそのままで、テーパナット３８が軸方向に沿って締結ボルト３７の頭部３７ｂ側に接近すると、締結ボルト３７とテーパナット３８との間に軸方向の締付力Ｆ１が発生する。この軸方向の締付力Ｆ１によって、テーパナット３８は、テーパ面３８ｄを介して、貫通板３６の係合溝３６ｃの端面３６ｄを軸方向に押圧する。これにより、テーパナット３８は、この端面３６ｄと接触しているテーパ面３８ｄから、この軸方向の押圧力Ｆ１（締結力Ｆ１）に対する反力を受け、より詳細には、押圧力Ｆ１から長辺方向に変換された押圧力Ｆ２を、貫通板３６の端面３６ｄからテーパ面３８ｄに受ける。テーパナット３８は、貫通板３６の端面３６ｄから受けた長辺方向の押圧力Ｆ２により、環状部２４ａ，２５ａの縁端部２４ｈ，２５ｈを、環状部２４ａ，２５ａのスリット２４ｄ，２５ｄの間隔を縮小する方向に押圧する。テーパナット３８と、このテーパナット３８に螺合している締結ボルト３７は、スリット２４ｄ，２５ｄの間隔が狭まるのに応じて、貫通板３６上の長穴形状の孔部３６ｂに沿って抜け止め部２６ａの方向に一体的に移動できるので、締結ボルト３７との締結力Ｆ１を発生している間、環状部２４ａ，２５ａの縁端部２４ｈ，２５ｈとの接触を維持して、押圧力Ｆ２を付加し続けることができる。このとき、環状部２４ａ，２５ａが押圧力Ｆ２を受ける側と反対側では、貫通板３６の抜け止め部２６ａによって、環状部２４ａ，２５ａが押圧力Ｆ２に対して長辺方向に逃げるのを規制されている。この結果、バッテリー端子１ａは、テーパナット３８による押圧力Ｆ２によって、環状部２４ａの板状突出部２４ｅと共に環状部２５ａの板状突出部２５ｅが貫通板３６の抜け止め部２６ａ側に押圧されることで、スリット２４ｄ，２５ｄの間隔が狭まる。
【００８２】
したがって、バッテリー端子１ａは、締結ボルト３７の回転に伴い、テーパナット３８のテーパ面３８ｄにより発生する長辺方向の押圧力Ｆ２によって、スリット２４ｄ，２５ｄの間隔が狭められることで、ポスト挿入孔２４ｃ，２５ｃの内周面とバッテリーポスト５１の外周面とが接触した状態でポスト挿入孔２４ｃ，２５ｃの径が縮小され、バッテリーポスト５１に締結される。そして、バッテリー端子１ａは、スタッドボルト２２の軸部２２ａに電線の末端に設けられた金具等が電気的に接続される。
【００８３】
以上のように、本実施形態のバッテリー端子１ａによれば、貫通板３６の抜け止め部２６ａが設けられる一端部とは反対側の他端部には、長辺方向に沿った長穴形状の孔部３６ｂが、締結部材支持部として設けられる。締結部材としての締結ボルト３７は、貫通板３６の孔部３６ｂに軸方向周りに回転可能に支持される。被締結部材としてのテーパナット３８は、軸方向に対して貫通板３６を挟んで締結ボルト３７と対向し該締結ボルト３７と螺合する。また、テーパナット３８は押圧力変換部材としても機能し、軸方向周りの回転が規制され、長辺方向の一端に貫通板３６と当接するテーパ面３８ｄが形成され、長辺方向の他端の一端面３８ｃにて環状部２４ａ，２５ａと当接する。テーパナット３８に設けられるテーパ面３８ｄは、軸方向周りの締結ボルト３７の回転に伴ってテーパナット３８が軸方向に沿って締結ボルト３７側に接近した際に、締結ボルト３７とテーパナット３８との間に発生する軸方向の締付力Ｆ１を、環状部２４ａ，２５ａのスリット２４ｄ，２５ｄの間隔を縮小する方向にテーパナット３８が環状部２４ａ，２５ａを押圧する長辺方向の押圧力Ｆ２に変換する方向に傾斜を有する。
【００８４】
この構成により、テーパナット３８に設けられるテーパ面３８ｄの作用によって、軸方向周りの締結ボルト３７の回転に伴って発生する軸方向の締付力Ｆ１を、環状部２４ａ，２５ａのスリット２４ｄ，２５ｄの間隔を縮小する長辺方向の押圧力Ｆ２に変換することで、環状部２４ａ，２５ａをバッテリーポスト５１に締結することができる。また、バッテリー端子１ａは、バッテリーポスト５１に締結される際に、締結ボルト３７の回転に伴ってテーパナット３８が締結ボルト３７側に接近する一方、締結ボルト３７自体は軸方向の位置が固定されたまま変化しない。この結果、このバッテリー端子１ａは、締結ボルト３７を軸方向上側から締め付ける構成とした上で、当該締結ボルト３７を締め付けていく際に当該締結ボルト３７の軸方向の相対位置が変化しないようにすることができる。したがって、このバッテリー端子１ａは、バッテリーポスト５１に締結する際に、軸方向上側から締結ボルト３７を締め付けていっても当該締結ボルト３７の締め付け高さの変化が抑制されるので、当該締結ボルト３７の締め付け作業を行いやすい位置関係を維持することができ、バッテリーポスト５１に締結する際の作業性を向上することができる。
【００８５】
なお、上記実施形態では、締結ボルト３７と螺合する被締結部材を、テーパ面３８ｄを備えるテーパナット３８とし、締結ボルト３７とテーパナット３８との間で軸方向の締付力Ｆ１を発生させる構成を例示したが、被締結部材として別体のナットを有する構成としてもよい。つまり、テーパナット３８の基部３８ａの螺合孔をネジ溝の無い単なる孔部に置き換え、テーパナット３８よりさらに鉛直方向下側に締結ボルト３７と螺合するナットを配置し、締結ボルト３７とナットとの間に発生する軸方向の締付力Ｆ１を長辺方向の押圧力Ｆ２に変換する構成としてもよい。
【００８６】
［第三実施形態］
図１１〜１４を参照して第三実施形態を説明する。まず図１１，１２を参照して、第三実施形態に係るバッテリー端子１ｂの構成について説明する。図１１は、本発明の第三実施形態に係るバッテリー端子の概略構成を示す斜視図であり、図１２は、図１１に示すバッテリー端子の分解斜視図である。
【００８７】
図１１，１２に示すように、第三実施形態のバッテリー端子１ｂは、締付部４３の構成が第一実施形態のバッテリー端子１と異なるものである。
【００８８】
本実施形態のバッテリー端子１ｂは、本体部２１と、スタッドボルト２２と、締付部４３とを備える。締付部４３は、貫通板３６と、締結ボルト４７（締結部材）と、スペーサ４８（押圧力変換部材）と、ナット４９（被締結部材）とを備える。なお、本体部２１及びスタッドボルト２２については、図１１，１２に示すように、ポスト挿入孔２４ｃ，２５ｃは、板金が下側に折り返されることでそれぞれ内周壁面を形成している点が、第一実施形態のバッテリー端子１と相違する。また、貫通板３６は、第二実施形態の貫通板３６と同様の構成である。
【００８９】
締結ボルト４７は、第一実施形態の締結ボルト２７と同様に軸部２７ａと頭部２７ｂを有する一方、ボルト側テーパ面２７ｃを有していない。
【００９０】
ナット４９は、軸方向に対して貫通板３６を挟んで締結ボルト４７と対向し、締結ボルト４７と螺合する。ナット４９は、軸方向周りの回転が規制されている。
【００９１】
スペーサ４８は、締結ボルト４７と貫通板３６との間にて締結ボルト４７に貫通されて配置される。スペーサ４８は、締結ボルト４７の軸部２７ａが貫通する孔部を有する方形状の基部４８ａと、この基部４８ａの４辺のうち対向する２辺から鉛直方向下側へ延在する一対の直立部４８ｂとを有する。基部４８ａは、図１１，１２に示すように、直立部４８ｂを有する２辺が長辺方向に延在している。スペーサ４８の直立部４８ｂは、長辺方向の一端面４８ｃにて環状部２４ａの縁端部２４ｈと当接している。スペーサ４８は、一対の直立部４８ｂの一端面４８ｃがそれぞれ環状部２４ａの縁端部２４ｈと当接していることにより、軸方向周りの回転が規制されている。
【００９２】
また、スペーサ４８の直立部４８ｂには、一端面４８ｃと長辺方向の反対側にテーパ面４８ｄが形成されている。テーパ面４８ｄは、スペーサ４８が締結ボルト４７により貫通されて貫通板３６との間に配置されている状態において、貫通板３６の係合溝３６ｃと接触状態を維持するように形成されている。より詳細には、テーパ面４８ｄは、貫通板３６の係合溝３６ｃにおいて、長辺方向で対向する一対の端面のうち、貫通板３６の端部に近い方の端面３６ｄ（図１２参照）と接触する。なお、この端面３６ｄに、テーパ面４８ｄと同一方向に傾斜をつけ、テーパ面４８ｄとの接触面積を増やすよう構成してもよい。
【００９３】
ここで、スペーサ４８に設けられるテーパ面４８ｄは、締結ボルト４７が、軸方向周りの回転に伴って軸方向に沿ってナット４９側に接近した際に、締結ボルト４７とナット４９との間に発生する軸方向の締付力を、環状部２４ａ，２５ａのスリット２４ｄ，２５ｄの間隔を縮小する方向にスペーサ４８が環状部２４ａ，２５ａの縁端部２４ｈ，２５ｈを押圧する長辺方向の押圧力に変換する方向に傾斜を有するよう形成されている。本実施形態では、スペーサ４８に設けられるテーパ面４８ｄは、軸方向に沿って締結ボルト４７の頭部２７ｂ側から離間するにしたがって、直立部４８ｂの長辺方向の幅が徐々に小さくなるような傾斜を有している。
【００９４】
つまり、スペーサ４８は、締結ボルト４７と、環状部２４ａ，２５ａの縁端部２４ｈ，２５ｈとの間にて、両者と当接して配置され、軸方向周りの締結ボルト４７の回転に伴って発生する軸方向の締付力を、テーパ面４８ｄを介して、環状部２４ａ，２５ａのスリット２４ｄ，２５ｄの間隔を縮小する方向に環状部２４ａ，２５ａの縁端部２４ｈ，２５ｈを押圧する長辺方向の押圧力に変換する押圧力変換部材として機能する。なお、第三実施形態のスペーサ４８は、第二実施形態のテーパナット３８を鉛直方向の上下逆に配置し、基部３８ａの螺合孔からネジ溝を無くしたものと同等である。
【００９５】
次に、図１３，１４を参照して、本実施形態に係るバッテリー端子１ｂの動作について説明する。図１３は、本発明の第三実施形態に係るバッテリー端子をバッテリーポストに締結する前の状態を示す模式図であり、図１４は、本発明の第三実施形態に係るバッテリー端子をバッテリーポストに締結した後の状態を示す模式図である。
【００９６】
図１３に示すように、バッテリー端子１ｂは、貫通板３６が、板状突出部２４ｅの縁端部２４ｈに設けられた孔部２４ｉと、板状突出部２５ｅの縁端部２５ｈに設けられた孔部２５ｉを貫通するよう挿入されることで、本体部２１の板状突出部２４ｅ及び板状突出部２５ｅが一体化される。この状態で、貫通板３６の抜け止め部２６ａと反対側の端部の一対の係合溝３６ｃに、鉛直方向上方から一対の直立部４８ｂがそれぞれ嵌合されて、スペーサ４８が貫通板３６の上方に配置される。スペーサ４８の鉛直方向上方から、基部４８ａの孔部に締結ボルト４７が挿入され、締結ボルト４７はさらに、スペーサ４８の下方にある貫通板３６の孔部３６ｂに挿入される。そして、貫通板３６の鉛直方向下方に配置されているナット４９に締結ボルト４７が螺合されることで、バッテリー端子１ｂは一体的に組み立てられる。図１３に示す状態は、スペーサ４８のテーパ面４８ｄの下端領域が、貫通板３６の係合溝３６ｃの端面３６ｄと接している状態を示しており、スペーサ４８をさらに下方まで進出可能な状態である。このとき、環状部２４ａ，２５ａのスリット２４ｄ，２５ｄは最大幅に広がっており、ポスト挿入孔２４ｃ，２５ｃの内径は、バッテリーポスト５１の外径より大きい。また、締結ボルト４７の軸部２７ａは、貫通板３６の長穴形状の孔部３６ｂのうち、貫通板３６の端部に近い方（図１３では右側）に位置している。この状態が、バッテリー端子１ｂがバッテリーポスト５１に締結する前の状態である。      
【００９７】
バッテリー端子１ｂは、図１３に示す状態でポスト挿入孔２４ｃ，２５ｃにバッテリーポスト５１が挿入されることで、バッテリーポスト５１に組み付けられる。そして、バッテリー端子１ｂは、ポスト挿入孔２４ｃ，２５ｃの内周面とバッテリーポスト５１の外周面とが接触した状態で、締結ボルト４７が鉛直方向（軸方向）上側から締め付けられることで、スリット２４ｄ，２５ｄを挟んで環状部２４ａ，２５ａの両側が接近方向に締め付けられ、これにより、バッテリーポスト５１に締結される。
【００９８】
より詳細には、図１４に示すように、締結ボルト４７の頭部２７ｂが工具等によって軸方向（軸部２７ａ）周りに回転されることで、締結ボルト４７が軸方向に沿ってナット４９側に接近すると、締結ボルト４７とナット４９との間に軸方向の締付力Ｆ１が発生する。この軸方向の締付力Ｆ１によって、スペーサ４８は、締結ボルト４７の座面により鉛直方向下側に押圧され、テーパ面４８ｄを介して、貫通板３６の係合溝３６ｃの端面３６ｄを軸方向に押圧する。これにより、スペーサ４８は、この端面３６ｄと接触しているテーパ面４８ｄから、この軸方向の押圧力（締結力Ｆ１）に対する反力を受け、より詳細には、押圧力Ｆ１から長辺方向に変換された押圧力Ｆ２を、貫通板３６の端面３６ｄからテーパ面４８ｄに受ける。スペーサ４８は、貫通板３６の端面３６ｄから受けた長辺方向の押圧力Ｆ２により、環状部２４ａ，２５ａの縁端部２４ｈ，２５ｈを、環状部２４ａ，２５ａのスリット２４ｄ，２５ｄの間隔を縮小する方向に押圧する。スペーサ４８と、このスペーサ４８を貫通している締結ボルト４７と、締結ボルト４７に螺合されているナット４９は、スリット２４ｄ，２５ｄの間隔が狭まるのに応じて、貫通板３６上の長穴形状の孔部３６ｂに沿って抜け止め部２６ａの方向に一体的に移動できるので、締結ボルト４７とナット４９との間で締結力Ｆ１が発生している間、環状部２４ａ，２５ａの縁端部２４ｈ，２５ｈとの接触を維持して、押圧力Ｆ２を付加し続けることができる。このとき、環状部２４ａ，２５ａが押圧力Ｆ２を受ける側と反対側では、貫通板３６の抜け止め部２６ａによって、環状部２４ａ，２５ａが押圧力Ｆ２に対して長辺方向に逃げるのを規制されている。この結果、バッテリー端子１ｂは、スペーサ４８による押圧力Ｆ２によって、環状部２４ａの板状突出部２４ｅと共に環状部２５ａの板状突出部２５ｅが貫通板３６の抜け止め部２６ａ側に押圧されることで、スリット２４ｄ，２５ｄの間隔が狭まる。
【００９９】
したがって、バッテリー端子１ｂは、締結ボルト４７の回転に伴い、スペーサ４８のテーパ面４８ｄにより発生する長辺方向の押圧力Ｆ２によって、スリット２４ｄ，２５ｄの間隔が狭められることで、ポスト挿入孔２４ｃ，２５ｃの内周面とバッテリーポスト５１の外周面とが接触した状態でポスト挿入孔２４ｃ，２５ｃの径が縮小され、バッテリーポスト５１に締結される。そして、バッテリー端子１ｂは、スタッドボルト２２の軸部２２ａに電線の末端に設けられた金具等が電気的に接続される。
【０１００】
以上のように、本実施形態のバッテリー端子１ｂによれば、貫通板３６の抜け止め部２６ａが設けられる一端部とは反対側の他端部には、長辺方向に沿った長穴形状の孔部３６ｂが、締結部材支持部として設けられる。締結部材としての締結ボルト４７は、貫通板３６の孔部３６ｂに軸方向周りに回転可能に支持される。被締結部材としてのナット４９は、軸方向に対して貫通板３６を挟んで締結ボルト４７と対向し該締結ボルト４７と螺合する。押圧力変換部材としてのスペーサ４８は、締結ボルト４７と貫通板３６との間にて締結ボルト４７に貫通されて配置され、軸方向周りの回転が規制され、長辺方向の一端に貫通板３６と当接するテーパ面４８ｄが形成され、長辺方向の他端の一端面４８ｃにて環状部２４ａ，２５ａと当接する。スペーサ４８に設けられるテーパ面４８ｄは、締結ボルト４７が軸方向周りの回転に伴って、軸方向に沿ってナット４９側に接近した際に、締結ボルト４７とナット４９との間に発生する軸方向の締付力Ｆ１を、環状部２４ａ，２５ａのスリット２４ｄ，２５ｄの間隔を縮小する方向にスペーサ４８が環状部２４ａ，２５ａを押圧する長辺方向の押圧力Ｆ２に変換する方向に傾斜を有する。
【０１０１】
この構成により、スペーサ４８に設けられるテーパ面４８ｄの作用によって、軸方向周りの締結ボルト４７の回転に伴って発生する軸方向の締付力Ｆ１を、環状部２４ａ，２５ａのスリット２４ｄ，２５ｄの間隔を縮小する長辺方向の押圧力Ｆ２に変換することで、環状部２４ａ，２５ａをバッテリーポスト５１に締結することができる。また、テーパ面４８ｄの作用によって、締結ボルト４７のナット４９への締付操作、すなわち軸方向周りの回転運動から、環状部２４ａ，２５ａのスリット２４ｄ，２５ｄの間隔を縮小する長辺方向の押圧力Ｆ２に効率よく変換することができる。これにより、締付ボルト４７の回転軸を、環状部２４ａ，２５ａの締結方向と同一にする必要がなく、締結ボルト４７の締付操作を行いやすい鉛直方向とすることができるので、バッテリー端子１ｂをバッテリーポスト５１に締結する際の作業性を向上することができる。
【０１０２】
［第四実施形態］
図１５〜１８を参照して第四実施形態を説明する。図１５は、本発明の第四実施形態に係るバッテリー端子の概略構成を示す斜視図である。図１６は、図１５中のＬ２矢視図である。図１７は、図１５中のＬ３矢視図である。図１８は、図１５中のＬ４矢視図であり、図１５に示す第四実施形態のバッテリー端子をバッテリーに取り付けた状態を示す側面図である。
【０１０３】
図１５〜１８に示すように、第四実施形態のバッテリー端子１ｃは、締付部５３の構成が第一〜第三実施形態のバッテリー端子１，１ａ，１ｂと異なるものである。
【０１０４】
図１５〜１８に示すように、第四実施形態のバッテリー端子１ｃは、本体部２１と、スタッドボルト２２と、締付部５３とを備える。締付部５３は、保持部材５６と、締結ボルト５７（締結部材）と、スペーサ５８（押圧力変換部材）と、ナット５９（被締結部材）とを備える。なお、本体部２１及びスタッドボルト２２の主要な構成については、第一〜第三実施形態のバッテリー端子１，１ａ，１ｂと形状は多少異なるが、実質的にほぼ同様の機能であるので説明を省略する。
【０１０５】
保持部材５６は、長辺方向に沿って、環状部２４ａ，２５ａの一端部からスリット２４ｄ，２５ｄを挟んで環状部２４ａ，２５ａの他端部まで延在して配置されるものである。保持部材５６の主な部分（基部）は、長辺方向に沿って延在する板状部材であり、軸方向に対して板状突出部２５ｅを基準として板状突出部２４ｅの反対側、すなわち、鉛直方向（軸方向）下側に位置する。
【０１０６】
保持部材５６は、その一端部に環状部保持部５６ａを有する。環状部保持部５６ａは、保持部材５６の一端部に設けられ、環状部２４ａ，２５ａを保持する部分である。環状部保持部５６ａは、図１５，１７に示すように、板状突出部２５ｅの軸方向下側に配置される保持部材５６の基部の一方の端部が延長され、板状突出部２４ｅ側、すなわち鉛直方向（軸方向）上側にＵ字型に折り返されることで形成される。環状部保持部５６ａは、軸方向に対して、Ｕ字型の空間部に環状部２４ａ，２５ａの板状突出部２４ｅ，２５ｅを挟み込んで保持することで、当該環状部２４ａ，２５ａを一体化して保持する。
【０１０７】
保持部材５６には、環状部保持部５６ａが設けられる一端部と反対側の他端部に、軸方向に貫通して孔部５６ｂ（締結部材支持部）が設けられている。孔部５６ｂは、図１６，１７に示すように、その内周にネジ溝を持たず、長辺方向に沿って長穴形状に形成されている。
【０１０８】
さらに、保持部材５６には、孔部５６ｂが設けられる端部側の縁端に、縁端突設部５６ｃが軸方向に突設されて設けられている。図１５，１７，１８に示すように、縁端突設部５６ｃは、長辺方向に延在する保持部材５６の板状の基部の他方の端部が延長され、軸方向の締結ボルト５７が配置される側、すなわち鉛直方向（軸方向）上側にＬ字型（例えば直角）に折り曲げられて形成されている。
【０１０９】
締結ボルト５７は、保持部材５６の孔部５６ｂに軸方向周りに回転可能に支持される。締結ボルト５７は、第一実施形態の締結ボルト２７の軸部２７ａ及び頭部２７ｂと同様の構成である軸部５７ａ及び頭部５７ｂを有する一方、ボルト側テーパ面２７ｃに対応する要素を有していない。
【０１１０】
ナット５９は、軸方向に対して保持部材５６を挟んで締結ボルト５７と対向し、締結ボルト５７と螺合する。ナット５９は、軸方向周りの回転が規制されている。
【０１１１】
スペーサ５８は、締結ボルト５７と保持部材５６との間にて締結ボルト５７に貫通されて配置される部材である。スペーサ５８は、例えば矩形筒状に形成される。図１５，１７に示すように、スペーサ５８には、環状部２４ａ，２５ａの長辺方向の端部であって保持部材５６の環状部保持部５６ａによって保持された端部とは反対側の端部に当接する第１テーパ面５８ａが形成される。つまり、第１テーパ面５８ａは、スペーサ５８において、環状部２４ａ，２５ａの長辺方向の端部であって保持部材５６の孔部５６ｂや締結ボルト５７等が設けられる側の端部と、長辺方向に対向する面に形成される。本実施形態の第１テーパ面５８ａは、環状部２４ａ，２５ａの一部、ここでは、環状部２４ａの板状突出部２４ｅに当接可能な位置に形成される。
【０１１２】
また、図１５，１７，１８に示すように、スペーサ５８には、長辺方向に対して第１テーパ面５８ａの背面側に第２テーパ面５８ｂが設けられる。第２テーパ面５８ｂは、保持部材５６の縁端突設部５６ｃと当接可能な位置に形成される。このように長辺方向に沿って対向して配置されるスペーサ５８の第１テーパ面５８ａ及び第２テーパ面５８ｂが、それぞれ環状部２４ａ，２５ａ及び縁端突設部５６ｃと当接することで、スペーサ５８の軸方向周りの回転が規制されている。
【０１１３】
そして、スペーサ５８に設けられる第１テーパ面５８ａは、締結ボルト５７が軸方向周りの回転に伴って、軸方向に沿ってナット５９側に接近した際に、締結ボルト５７とナット５９との間に発生する軸方向の締付力を、環状部２４ａ，２５ａのスリット２４ｄ，２５ｄの間隔を縮小する方向、すなわち、長辺方向の環状部保持部５６ａ側に、スペーサ５８が環状部２４ａ，２５ａを押圧する長辺方向の押圧力に変換する方向に傾斜を有する。本実施形態では、第１テーパ面５８ａは、軸方向に沿って締結ボルト５７の頭部５７ｂ側から離間するにしたがって、スペーサ５８の長辺方向の幅が徐々に縮小するような傾斜を有している。
【０１１４】
また、スペーサ５８に設けられる第２テーパ面５８ｂは、締結ボルト５７が軸方向周りの回転に伴って、軸方向に沿ってナット５９側に接近した際に、締結ボルト５７とナット５９との間に発生する軸方向の締付力を、第２テーパ面５８ｂと当接する縁端突設部５６ｃを介して保持部材５６の環状部保持部５６ａを長辺方向の締結部材支持部（孔部５６ｂ）側に引き付ける引付力に変換する方向に傾斜を有する。本実施形態では、第２テーパ面５８ｂは、軸方向に沿って締結ボルト５７の頭部５７ｂ側から離間するにしたがって、スペーサ５８の長辺方向の幅が徐々に縮小するような傾斜を有している。
【０１１５】
つまり、本実施形態のスペーサ５８は、図１５，１７に示すように、軸方向及び長辺方向と直交する方向から視て、第１テーパ面５８ａと第２テーパ面５８ｂとによって、軸方向に沿って締結ボルト５７の頭部５７ｂ側から離間するにしたがって長辺方向の幅が徐々に狭まるような台形状に形成される。
【０１１６】
第四実施形態のバッテリー端子１ｃは、図１８に示す状態でポスト挿入孔２４ｃ，２５ｃにバッテリーポスト５１が挿入されることで、バッテリーポスト５１に組み付けられる。そして、バッテリー端子１ｃは、ポスト挿入孔２４ｃ，２５ｃの内周面とバッテリーポスト５１の外周面とが接触した状態で、締結ボルト５７が鉛直方向（軸方向）上側から締め付けられることで、スリット２４ｄ，２５ｄを挟んで環状部２４ａ，２５ａの両側が接近方向に締め付けられ、これにより、バッテリーポスト５１に締結される。
【０１１７】
より詳細には、締結ボルト５７の頭部５７ｂが工具等によって軸方向（軸部５７ａ）周りに回転されることで、締結ボルト５７が軸方向に沿ってナット５９側に接近すると、締結ボルト５７とナット５９との間に軸方向の締付力が発生する。この軸方向の締付力によって、スペーサ５８は、締結ボルト５７の座面により鉛直方向下側に押圧される。この軸方向の締結力は、第１テーパ面５８ａによって、環状部２４ａ，２５ａのスリット２４ｄ，２５ｄの間隔を縮小する方向に押圧する押圧力に変換される。このとき、環状部保持部５６ａは、当該第１テーパ面５８ａによる押圧力の反力を受ける反力部材として機能する。この結果、バッテリー端子１ｃは、第１テーパ面５８ａによる押圧力によって、環状部２４ａ，２５ａの板状突出部２４ｅ，２５ｅが環状部保持部５６ａ側に押圧されることでスリット２４ｄ，２５ｄの間隔が狭まる。
【０１１８】
またこのとき、締結ボルト５７とナット５９との間に発生する軸方向の締付力は、第２テーパ面５８ｂによって、この第２テーパ面５８ｂと当接する保持部材５６の縁端突設部５６ｃを介して、保持部材５６の環状部保持部５６ａを長辺方向の締結部材支持部（孔部５６ｂ）側に引き付ける引付力に変換される。これにより、バッテリー端子１ｃは、当該第２テーパ面５８ｂによる引付力によって環状部保持部５６ａが長辺方向の環状部２４ａ，２５ａ側に引き付けられる。このとき、保持部材５６と締結ボルト５７とは、長辺方向に沿って相対移動するが、締結ボルト５７が当該保持部材５６に形成された長穴形状の孔部５６ｂに挿入されているので、この長辺方向に沿った相対移動が妨げられることはない。この結果、バッテリー端子１ｃは、第２テーパ面５８ｂによる引付力によっても、環状部２４ａ，２５ａの板状突出部２４ｅ，２５ｅに形成されたスリット２４ｄ，２５ｄの間隔が狭まる。
【０１１９】
したがって、バッテリー端子１ｃは、締結ボルト５７の回転に伴って第１テーパ面５８ａによる押圧力、及び、第２テーパ面５８ｂによる引付力によって、スリット２４ｄ，２５ｄの間隔が狭められることで、ポスト挿入孔２４ｃ，２５ｃの内周面とバッテリーポスト５１の外周面とが接触した状態でポスト挿入孔２４ｃ，２５ｃの径が縮小され、バッテリーポスト５１に締結される。そして、バッテリー端子１ｃは、スタッドボルト２２の軸部２２ａに電線の末端に設けられた金具等が電気的に接続される。
【０１２０】
以上のように、第四実施形態のバッテリー端子１ｃによれば、軸方向周りの締結ボルト５７の回転に伴って発生する軸方向の締付力を、スペーサ５８に設けられる第１テーパ面５８ａの作用によって、環状部２４ａ，２５ａのスリット２４ｄ，２５ｄの間隔を縮小する長辺方向の押圧力に変換することで、環状部２４ａ，２５ａをバッテリーポスト５１に締結することができる。また、スペーサ５８の第１テーパ面５８ａの作用によって、締結ボルト５７のナット５９への締付操作、すなわち軸方向周りの回転運動から、環状部２４ａ，２５ａのスリット２４ｄ，２５ｄの間隔を縮小する長辺方向の押圧力に効率よく変換することができる。これにより、締付ボルト５７の回転軸を、環状部２４ａ，２５ａの締結方向と同一にする必要がなく、締結ボルト５７の締付操作を行いやすい鉛直方向とすることができるので、バッテリー端子１ｃをバッテリーポスト５１に締結する際の作業性を向上することができる。
【０１２１】
また、第四実施形態のバッテリー端子１ｃによれば、軸方向周りの締結ボルト５７の回転に伴って発生する軸方向の締付力を、スペーサ５８に設けられる第２テーパ面５８ｂの作用によって、保持部材５６の環状部保持部５６ａを長辺方向の締結部材支持部（孔部５６ｂ）側に引き付ける引付力に変換することができる。上記の押圧力に加えて、この引付力が付加されることによって、環状部２４ａ，２５ａの板状突出部２４ｅ，２５ｅに形成されたスリット２４ｄ，２５ｄの間隔が狭まるのをさらに促進できるので、環状部２４ａ，２５ａをバッテリーポスト５１に簡易に締結させることができ、バッテリー端子１ｃをバッテリーポスト５１に締結する際の作業性を向上することができる。
【０１２２】
［第五実施形態］
図１９〜２２を参照して第五実施形態を説明する。図１９は、本発明の第五実施形態に係るバッテリー端子の概略構成を示す斜視図である。図２０は、図１９に示すバッテリー端子の分解斜視図である。図２１は、図１９中のＬ５矢視図である。図２２は、図１９中のＬ６矢視図である。
【０１２３】
図１９〜２２に示すように、第五実施形態のバッテリー端子１ｄは、締付部６３の構成が第一〜第四実施形態のバッテリー端子１，１ａ，１ｂ，１ｃと異なるものである。
【０１２４】
図１９〜２２に示すように、第五実施形態のバッテリー端子１ｄは、本体部２１と、スタッドボルト２２と、締付部６３とを備える。本実施形態の本体部２１は、上側分割体２４と下側分割体２５とが、板状突出部２４ｅ，２５ｅの短辺方向側の端部にて屈曲連結部１０１により連結されている。本体部２１は、例えば、屈曲連結部１０１を介して上側分割体２４と下側分割体２５とが一体で形成され、曲げ加工されることで、図１９，図２０等に示す構造とすることができる。なお、本実施形態の本体部２１は、第一〜第四実施形態のバッテリー端子１，１ａ，１ｂ，１ｃと同様に、上側分割体２４と下側分割体２５との分割構造としてもよい。
【０１２５】
また、本実施形態の本体部２１には、第一〜第三実施形態の縁端部２４ｈ，２５ｈが設けられていない。すなわち、本体部２１は、図２０に示すように、上側分割体２４と下側分割体２５とが相互に組み付けられた状態で、スリット２４ｄ，２５ｄの長辺方向両側の側面が、長辺方向に沿ってそれぞれスリット２４ｄ，２５へ向かって切り欠かれて開口されている。これらの長辺方向の両側の一対の開口において、板状突出部２４ｅ，２５ｅ及び、屈曲連結部１０１の端面が、長辺方向に直交する略コの字状の被押圧面１０２ａ，１０２ｂを形成している。被押圧面１０２ａ，１０２ｂは、後述する第２スペーサ６２及び抜け止め部材６４と面接触する部分であり、両者からスリット２４ｄ，２５ｄを縮小する方向の押圧力を受ける部分である。図１９に示すバッテリー端子１ｄが組み立てられた状態において、被押圧面１０２ａは、貫通板６６の孔部６６ｂ（締結部材支持部）が位置する側の端面であり、被押圧面１０２ｂは、貫通板６６の切欠き部６６ａ（抜け止め部）が位置する側の端面である。
【０１２６】
なお、本体部２１及びスタッドボルト２２のその他の主要な構成については、第一〜第三実施形態のバッテリー端子１，１ａ，１ｂと形状は多少異なるが、実質的にほぼ同様の機能であるので説明を省略する。
【０１２７】
締付部６３は、貫通板６６と、締結ボルト６７（締結部材）と、ナット６９（被締結部材）と、第１スペーサ６１（押圧力変換部材）と、第２スペーサ６２（押圧力変換部材）と、抜け止め部材６４と、を備える。
【０１２８】
貫通板６６は、長辺方向に沿って、スリット２４ｄ，２５ｄと、板状突出部２４ｅ，２５ｅと、を貫通して配置される板状部材である。貫通板６６は、環状部２４ａ，２５ａの一端部からスリット２４ｄ，２５ｄを挟んで環状部２４ａ，２５ａの他端部までを貫通する。
【０１２９】
貫通板６６は、その長辺方向の一端部６６ｄにて、短辺方向の両縁端に抜け止め部材６４と係合する一対の切欠き部６６ａが形成されている。切欠き部６６ａは、貫通板６６の短辺方向の端面から貫通板６６の中央方向へ端面と平行に掘り下げられて形成されている。また、貫通板６６は、切欠き部６６ａが設けられる一端部６６ｄと反対側の他端部６６ｅには、その内周にネジ溝を持たず、長辺方向に沿った長穴形状の孔部６６ｂを有する。さらに、貫通板６６には、孔部６６ｂが設けられる他端部６６ｅ側にて、第１スペーサ６１と当接する凸部６６ｃが短辺方向の両縁端に突設されている。
【０１３０】
締結ボルト６７は、貫通板６６の孔部６６ｂに軸方向周りに回転可能に支持される。締結ボルト６７は、第一実施形態の締結ボルト２７の軸部２７ａ及び頭部２７ｂと同様の構成である軸部６７ａ及び頭部６７ｂを有する一方、ボルト側テーパ面２７ｃに対応する要素を有していない。
【０１３１】
ナット６９は、軸方向に対して貫通板６６を挟んで締結ボルト６７と対向し、締結ボルト６７と螺合する。ナット６９は、軸方向周りの回転が規制されている。
【０１３２】
第１スペーサ６１は、締結ボルト６７と貫通板６６との間にて締結ボルト６７に貫通されて配置される。第１スペーサ６１は、締結ボルト６７の軸部６７ａが貫通する孔部を有する方形状の基部６１ａと、この基部６１ａの４辺のうち対向する２辺から鉛直方向下側へ延在する一対の直立部６１ｂとを有する。基部６１ａは、図１９，２０等に示すように、直立部６１ｂを有する２辺が長辺方向に延在している。第１スペーサ６１の一対の直立部６１ｂは、図１９等に示すように、組み付け時に短辺方向の両側から貫通板６６を挟持するよう配置され、これにより第１スペーサ６１は軸方向周りの回転が規制されている。      
【０１３３】
第１スペーサ６１の一対の直立部６１ｂには、長辺方向の板状突出部２４ｅ，２５ｅ側の一端に押圧用テーパ面６１ｃ（第１テーパ面）が形成される。押圧用テーパ面６１ｃは、後述する第２スペーサ６２のテーパ面６２ｄと当接可能な位置に形成される。また、第１スペーサ６１の一対の直立部６１ｂには、長辺方向に対して押圧用テーパ面６１ｃの背面側に引付用テーパ面６１ｄ（第３テーパ面）が設けられる。引付用テーパ面６１ｄは、貫通板６６の凸部６６ｃと当接可能な位置に形成されている。
【０１３４】
第２スペーサ６２は、貫通板６６に対して長辺方向に相対移動可能に配置され、長辺方向の一端が、環状部２４ａ，２５ａと当接し、長辺方向の他端が第１スペーサ６１と当接する。第２スペーサ６２には、長辺方向に貫通する貫通孔６２ａが設けられており、この貫通孔６２ａに貫通板６６を挿通させることで、第２スペーサ６２は貫通板６６に対して長辺方向に相対移動可能となっている。
【０１３５】
第２スペーサ６２の長辺方向の一端側の端面６２ｂは、貫通板６６の孔部６６ｂが設けられた端部（他端部）側から、環状部２４ａ，２５ａの被押圧面１０２ａと当接している。また、この端面６２ｂの中央部には、環状部２４ａ，２５ａ側に突出する突出部６２ｃが設けられている。第２スペーサ６２は、端面６２ｂを被押圧面１０２ａと接触させ、突出部６２ｃを環状部２４ａ，２５ａの被押圧面１０２ａより中央側の開口に嵌合させることで、本体部２１に対する短辺方向及び軸方向への相対移動が規制される。第２スペーサ６２の長辺方向の他端側には、第１スペーサ６１の押圧用テーパ面６１ｃと当接するテーパ面６２ｄ（第２テーパ面）が形成されている。
【０１３６】
抜け止め部材６４は、貫通板６６の一対の切欠き部６６ａに嵌合することで、貫通板６６の一端部にて、貫通板６６と直交配置される板状部材である。抜け止め部材６４は、一対の平板部６４ａと、係止部６４ｂとを有する。一対の平板部６４ａは、抜け止め部材６４の軸方向の移動によって、貫通板６６の一対の切欠き部６６ａにスライド嵌合するように、短辺方向に沿って並列配置されている。また、一対の平板部６４ａは、一対の切欠き部６６ａと嵌合した状態において、環状部２４ａ，２５ａの被押圧面１０２ｂと当接可能に対向配置される当接面６４ｃを有する。係止部６４ｂは、一対の平板部６４ａの軸方向の端部に連結され、短辺方向に延在する。係止部６４ｂは、一対の平板部６４ａに対して、環状部２４ａ，２５ａ側に略直角に屈曲されている。
【０１３７】
そして、第１スペーサ６１に設けられる押圧用テーパ面６１ｃと、第２スペーサ６２に設けられるテーパ面６２ｄは、締結ボルト６７が軸方向周りの回転に伴って、軸方向に沿ってナット６９側に接近した際に、締結ボルト６７とナット６９との間に発生する軸方向の締付力を、環状部２４ａ，２５ａのスリット２４ｄ，２５ｄの間隔を縮小する方向、すなわち、長辺方向の貫通板６６の切欠き部６６ａ側に、第２スペーサ６２が環状部２４ａ，２５ａを押圧する長辺方向の押圧力に変換する方向に傾斜を有する。本実施形態では、第１スペーサ６１の押圧用テーパ面６１ｃは、軸方向に沿って締結ボルト６７の頭部６７ｂ側から離間するにしたがって、第１スペーサ６１の直立部６１ｂの長辺方向の幅が徐々に縮小するような傾斜を有している。一方、第２スペーサ６２のテーパ面６２ｄは、軸方向に沿って締結ボルト６７の頭部６７ｂ側から離間するにしたがって、第２スペーサ６２の長辺方向の幅が徐々に広がるような傾斜を有している。また、第１スペーサ６１の押圧用テーパ面６１ｃと、第２スペーサ６２のテーパ面６２ｄとは、互いに正対して配置されている。
【０１３８】
また、第１スペーサ６１に設けられる引付用テーパ面６１ｄは、締結ボルト６７が軸方向周りの回転に伴って、軸方向に沿ってナット６９側に接近した際に、締結ボルト６７とナット６９との間に発生する軸方向の締付力を、引付用テーパ面６１ｄと当接する貫通板６６の凸部６６ｃを介して、切欠き部６６ａに嵌合された抜け止め部材６４を、長辺方向の孔部６６ｂ側に引き付ける引付力に変換する方向に傾斜を有する。本実施形態では、引付用テーパ面６１ｄは、軸方向に沿って締結ボルト６７の頭部６７ｂ側から離間するにしたがって、第１スペーサ６１の直立部６１ｂの長辺方向の幅が徐々に縮小するような傾斜を有している。
【０１３９】
つまり、本実施形態の第１スペーサ６１の直立部６１ｂは、短辺方向から視て、押圧用テーパ面６１ｃと引付用テーパ面６１ｄとによって、軸方向に沿って締結ボルト６７の頭部６７ｂ側から離間するにしたがって長辺方向の幅が徐々に狭まるような逆三角形状に形成される。
【０１４０】
なお、貫通板６６の凸部６６ｃにおいて、第１スペーサ６１の引付用テーパ面６１ｄと当接する位置に引付用テーパ面６１ｄと同一方向に傾斜をつけ、引付用テーパ面６１ｄとの接触面積を増やすよう構成してもよい。
【０１４１】
本実施形態において、締付部６３を本体部２１に組み付ける際には、まず、第２スペーサ６２の端面６２ｂと、本体部２１の被押圧面１０２ａが当接するように、第２スペーサ６２が本体部２１に嵌合される。次に、第２スペーサ６２の貫通孔６２ａから、貫通板６６の一端部６６ｄが挿入され、本体部２１のスリット２４ｄ，２５ｄを横断するように、板状突出部２４ｅ，２５ｅを貫通することで、一端部６６ｄの切欠き部６６ａが、本体部２１の被押圧面１０２ｂより長辺方向の外側に進出される。この切欠き部６６ａに対して、軸方向上方から抜け止め部材６４が嵌合される。これにより、貫通板６６は、本体部２１の被押圧面１０２ａ側に抜けるのが防止される。つまり、本実施形態では、貫通板６６の切欠き部６６ａと、この切欠き部６６ａに嵌合される抜け止め部材６４とが、第一実施形態の抜け止め部２６ａと同様に機能する。
【０１４２】
次に、第２スペーサ６２のテーパ面６２ｄに、第１スペーサ６１の押圧用テーパ面６１ｃが当接するように、かつ、第１スペーサ６１の孔部が貫通板６６の孔部６６ｂと軸方向に重畳するように、第１スペーサ６１が第２スペーサ６２及び貫通板６６に組み合わせられる。貫通板６６の孔部６６ｂの軸方向下方にナット６９が配置され、軸方向上方から締結ボルト６７が、第１スペーサ６１の孔部、貫通板６６の孔部６６ｂに挿通されて、ナット６９に螺合される。このようにして、締付部６３が本体部２１に組み付けられる。
【０１４３】
第五実施形態のバッテリー端子１ｄは、図２２に示す状態でポスト挿入孔２４ｃ，２５ｃにバッテリーポスト５１が挿入されることで、バッテリーポスト５１に組み付けられる。そして、バッテリー端子１ｄは、ポスト挿入孔２４ｃ，２５ｃの内周面とバッテリーポスト５１の外周面とが接触した状態で、締結ボルト６７が鉛直方向（軸方向）上側から締め付けられることで、スリット２４ｄ，２５ｄを挟んで環状部２４ａ，２５ａの両側が接近方向に締め付けられ、これにより、バッテリーポスト５１に締結される。
【０１４４】
より詳細には、締結ボルト６７の頭部６７ｂが工具等によって軸方向（軸部６７ａ）周りに回転されることで、締結ボルト６７が軸方向に沿ってナット６９側に接近すると、締結ボルト６７とナット６９との間に軸方向の締付力が発生する。この軸方向の締付力によって、第１スペーサ６１は、締結ボルト６７の座面により鉛直方向下側に押圧される。この軸方向の締結力は、第１スペーサ６１の押圧用テーパ面６１ｃと、この押圧用テーパ面６１ｃと当接する第２スペーサ６２のテーパ面６２ｄによって、環状部２４ａ，２５ａのスリット２４ｄ，２５ｄの間隔を縮小する方向に押圧する押圧力に変換される。この押圧力によって、第２スペーサ６２の端面６２ｂが、環状部２４ａ，２５ａの被押圧面１０２ａを押圧する。このとき、貫通板６６の切欠き部６６ａに嵌合される抜け止め部材６４は、第２スペーサ６２により環状部２４ａ，２５ａに付加された押圧力の反力を受ける反力部材として機能する。この結果、バッテリー端子１ｄは、第２スペーサ６２による押圧力によって、環状部２４ａ，２５ａの板状突出部２４ｅ，２５ｅが抜け止め部材６４側に押圧されることでスリット２４ｄ，２５ｄの間隔が狭まる。
【０１４５】
またこのとき、締結ボルト６７とナット６９との間に発生する軸方向の締付力は、第１スペーサ６１の引付用テーパ面６１ｄによって、この引付用テーパ面６１ｄと当接する貫通板６６の凸部６６ｃを介して、凸部６６ｃと反対側の貫通板６６の一端部６６ｄに取り付けられた抜け止め部材６４を長辺方向の孔部６６ｂ側に引き付ける引付力に変換される。この引付力によって、抜け止め部材６４の当接面６４ｃが環状部２４ａ，２５ａの被押圧面１０２ｂに引き付けられる。このとき、貫通板６６と締結ボルト６７とは、長辺方向に沿って相対移動するが、締結ボルト６７が貫通板６６に形成された長孔形状の孔部６６ｂに挿入されているので、この長辺方向に沿った相対移動が妨げられることはない。この結果、バッテリー端子１ｄは、第１スペーサ６１の引付用テーパ面６１ｄによる引付力によっても、環状部２４ａ，２５ａの板状突出部２４ｅ，２５ｅに形成されたスリット２４ｄ，２５ｄの間隔が狭まる。
【０１４６】
したがって、バッテリー端子１ｄは、締結ボルト６７の回転に伴って第１スペーサ６１の押圧用テーパ面６１ｃ及び第２スペーサ６２のテーパ面６２ｄにより発生する押圧力、及び、第１スペーサ６１の引付用テーパ面６１ｄにより発生する引付力によって、スリット２４ｄ，２５ｄの間隔が狭められることで、ポスト挿入孔２４ｃ，２５ｃの内周面とバッテリーポスト５１の外周面とが接触した状態でポスト挿入孔２４ｃ，２５ｃの径が縮小され、バッテリーポスト５１に締結される。そして、バッテリー端子１ｄは、スタッドボルト２２の軸部２２ａに電線の末端に設けられた金具等が電気的に接続される。
【０１４７】
以上のように、第五実施形態のバッテリー端子１ｄによれば、軸方向周りの締結ボルト６７の回転に伴って発生する軸方向の締付力を、第１スペーサ６１に設けられる押圧用テーパ面６１ｃと、第２スペーサ６２に設けられるテーパ面６２ｄとの作用によって、環状部２４ａ，２５ａのスリット２４ｄ，２５ｄの間隔を縮小する長辺方向の押圧力に変換することで、環状部２４ａ，２５ａをバッテリーポスト５１に締結することができる。また、第１スペーサ６１に設けられる押圧用テーパ面６１ｃと、第２スペーサ６２に設けられるテーパ面６２ｄとの作用によって、締結ボルト６７のナット６９への締付操作、すなわち軸方向周りの回転運動から、環状部２４ａ，２５ａのスリット２４ｄ，２５ｄの間隔を縮小する長辺方向の押圧力に効率よく変換することができる。これにより、締付ボルト６７の回転軸を、環状部２４ａ，２５ａの締結方向と同一にする必要がなく、締結ボルト６７の締付操作を行いやすい鉛直方向とすることができるので、バッテリー端子１ｄをバッテリーポスト５１に締結する際の作業性を向上することができる。
【０１４８】
また、第五実施形態のバッテリー端子１ｄによれば、軸方向周りの締結ボルト６７の回転に伴って発生する軸方向の締付力を、第１スペーサ６１に設けられる引付用テーパ面６１ｄの作用によって、貫通板６６に取り付けられた抜け止め部材６４を長辺方向の締結部材支持部（孔部６６ｂ）側に引き付ける引付力に変換することができる。上記の押圧力に加えて、この引付力が付加されることによって、環状部２４ａ，２５ａの板状突出部２４ｅ，２５ｅに形成されたスリット２４ｄ，２５ｄの間隔が狭まるのをさらに促進できるので、環状部２４ａ，２５ａをバッテリーポスト５１に簡易に締結させることができ、バッテリー端子１ｄをバッテリーポスト５１に締結する際の作業性を向上することができる。      
【０１４９】
従って、第五実施形態のバッテリー端子１ｄは、上記の第一〜第四実施形態のバッテリー端子１，１ａ，１ｂ，１ｃと同様の効果を奏することができる。また、第五実施形態のバッテリー端子１ｄでは、第２スペーサ６２の端面６２ｂと、抜け止め部材６４の当接面６４ｃとが、環状部２４ａ，２５ａの板状突出部２４ｅ，２５ｅの長辺方向の両側の被押圧面１０２ａ，１０２ｂとそれぞれ面接触されている。これにより、締結ボルト６７の回転に伴って発生した押圧力及び引付力を、スリット２４ｄ，２５ｄの間隔を狭める方向である長辺方向に沿って、環状部２４ａ，２５ａに効率よく付加することができるので、バッテリー端子１ｄをバッテリーポスト５１に迅速に締結させることができる。
【０１５０】
［第六実施形態］
図２３〜２６を参照して第六実施形態を説明する。図２３は、本発明の第六実施形態に係るバッテリー端子の概略構成を示す斜視図である。図２４は、図２３に示すバッテリー端子の分解斜視図である。図２５は、図２３中のＬ７矢視図である。図２６は、図２３中のＬ８矢視図である。
【０１５１】
図２３〜２６に示すように、第六実施形態のバッテリー端子１ｅは、締付部７３の構成が第五実施形態のバッテリー端子１ｄと異なるものである。
【０１５２】
第六実施形態のバッテリー端子１ｅは、本体部２１と、スタッドボルト２２と、締付部７３とを備える。締付部７３は、貫通板７６と、締結ボルト６７（締結部材）と、第１スペーサ７１（押圧力変換部材）と、第２スペーサ６２（押圧力変換部材）と、を備える。なお、本体部２１及びスタッドボルト２２の構成については、第五実施形態のバッテリー端子１ｄと同様であるので説明を省略する。
【０１５３】
貫通板７６は、その長辺方向の一端部７６ｄに抜け止め部７６ａ（板状部材、環状部保持部）を有する。抜け止め部７６ａは、第一実施形態の抜け止め部２６ａと同様に、貫通板７６が環状部２４ａ，２５ａの両端を貫通した状態において、この抜け止め部７６ａが設けられる一端部７６ｄと反対側の他端部７６ｅ側へ貫通板７６が本体部２１から抜け出すのを防止する。具体的には、抜け止め部７６ａは、貫通板７６の長辺方向の一端部７６ｄにおいて、短辺方向の両側、及び、軸方向の両側に突出して形成されている。つまり、抜け止め部７６ａは、貫通板７６の一端部７６ｄにおいて、貫通板７６と一体的に設けられている。抜け止め部７６ａは、図２４に示すように、環状部２４ａ，２５ａの被押圧面１０２ｂと当接可能に対向配置される当接面７６ｆを有する。また、貫通板７６には、この抜け止め部７６ａに隣接して、当接面７６ｆから他端部７６ｅ側に突出する突出部７６ｃが設けられている。貫通板７６は、抜け止め部７６ａの当接面７６ｆを環状部２４ａ，２５ａの被押圧面１０２ｂと接触させ、突出部７６ｃを被押圧面１０２ｂより中央側の開口に嵌合させることで、本体部２１の被押圧面１０２ａ側に抜けるのが防止される。
【０１５４】
また、貫通板７６は、抜け止め部７６ａが設けられる一端部７６ｄと反対側の他端部７６ｅに、軸方向に貫通して螺合孔７６ｂ（締結部材支持部、被締結部材）が設けられている。螺合孔７６ｂは、締結ボルト６７を軸方向の所定位置で支持する機能も有する。
【０１５５】
第１スペーサ７１は、締結ボルト６７と貫通板７６との間にて締結ボルト６７に貫通されて配置される。第１スペーサ７１は、締結ボルト６７の軸部６７ａが貫通する孔部を有する方形状の基部７１ａと、この基部７１ａの４辺のうち対向する２辺から鉛直方向下側へ延在する一対の直立部７１ｂとを有する。基部７１ａは、図２３，２４等に示すように、直立部７１ｂを有する２辺が長辺方向に延在している。第１スペーサ７１の一対の直立部７１ｂは、図２４等に示すように、組み付け時に短辺方向の両側から貫通板７６を挟持するよう配置され、これにより第１スペーサ７１は軸方向周りの回転が規制されている。      
【０１５６】
第１スペーサ７１の一対の直立部７１ｂには、長辺方向の板状突出部２４ｅ，２５ｅ側の一端にテーパ面７１ｃ（第１テーパ面）が形成される。テーパ面７１ｃは、第２スペーサ６２のテーパ面６２ｄ（第２テーパ面）と当接可能な位置に形成される。なお、第２スペーサ６２、締結ボルト６７の構成は、第五実施形態と同様であるので説明を省略する。      
【０１５７】
第１スペーサ７１に設けられるテーパ面７１ｃと、第２スペーサ６２に設けられるテーパ面６２ｄは、締結ボルト６７が軸方向周りの回転に伴って、軸方向に沿って螺合孔７６ｂ側に接近した際に、締結ボルト６７と螺合孔７６ｂとの間に発生する軸方向の締付力を、環状部２４ａ，２５ａのスリット２４ｄ，２５ｄの間隔を縮小する方向、すなわち、長辺方向の貫通板７６の抜け止め部７６ａ側に、第２スペーサ６２が環状部２４ａ，２５ａを押圧する長辺方向の押圧力に変換する方向に傾斜を有する。本実施形態では、第１スペーサ７１のテーパ面７１ｃは、軸方向に沿って締結ボルト６７の頭部６７ｂ側から離間するにしたがって、第１スペーサ７１の直立部７１ｂの長辺方向の幅が徐々に縮小するような傾斜を有している。第１スペーサ７１のテーパ面７１ｃと、第２スペーサ６２のテーパ面６２ｄとは、互いに正対して配置されている。
【０１５８】
本実施形態において、締付部７３を本体部２１に組み付ける際には、まず、第２スペーサ６２の端面６２ｂと、本体部２１の被押圧面１０２ａが当接するように、第２スペーサ６２が本体部２１に嵌合される。次に、本体部２１の被押圧面１０２ｂ側の開口から、貫通板７６の他端部７６ｅが挿入される。貫通板７６は、抜け止め部７６ａの当接面７６ｆが本体部２１の被押圧面１０２ｂと当接するまで挿入される。これにより、貫通板７６は、本体部２１のスリット２４ｄ，２５ｄを横断するように、板状突出部２４ｅ，２５ｅを貫通し、貫通板７６の他端部７６ｅ側が第２スペーサ６２の貫通孔６２ａから長辺方向の外側に進出される。
【０１５９】
次に、第２スペーサ６２のテーパ面６２ｄに、第１スペーサ７１のテーパ面７１ｃが当接するように、かつ、第１スペーサ７１の孔部が貫通板７６の螺合孔７６ｂと軸方向に重畳するように、第１スペーサ７１が第２スペーサ６２及び貫通板７６に組み合わせられる。軸方向上方から締結ボルト６７が、第１スペーサ７１の孔部に挿通されて、貫通板７６の螺合孔７６ｂに螺合される。このようにして、締付部７３が本体部２１に組み付けられる。
【０１６０】
第六実施形態のバッテリー端子１ｅは、図２６に示す状態でポスト挿入孔２４ｃ，２５ｃにバッテリーポスト５１が挿入されることで、バッテリーポスト５１に組み付けられる。そして、バッテリー端子１ｅは、ポスト挿入孔２４ｃ，２５ｃの内周面とバッテリーポスト５１の外周面とが接触した状態で、締結ボルト６７が鉛直方向（軸方向）上側から締め付けられることで、スリット２４ｄ，２５ｄを挟んで環状部２４ａ，２５ａの両側が接近方向に締め付けられ、これにより、バッテリーポスト５１に締結される。
【０１６１】
より詳細には、締結ボルト６７の頭部６７ｂが工具等によって軸方向（軸部６７ａ）周りに回転されることで、締結ボルト６７が軸方向に沿って貫通板７６の螺合孔７６ｂ側に接近すると、締結ボルト６７と螺合孔７６ｂとの間に軸方向の締付力が発生する。この軸方向の締付力によって、第１スペーサ７１は、締結ボルト６７の座面により鉛直方向下側に押圧される。この軸方向の締結力は、第１スペーサ７１のテーパ面７１ｃと、このテーパ面７１ｃと当接する第２スペーサ６２のテーパ面６２ｄによって、環状部２４ａ，２５ａのスリット２４ｄ，２５ｄの間隔を縮小する方向に押圧する押圧力に変換される。この押圧力によって、第２スペーサ６２の端面６２ｂが、環状部２４ａ，２５ａの被押圧面１０２ａを押圧する。このとき、貫通板７６の一端側７６ｄの抜け止め部７６ａは、第２スペーサ６２により環状部２４ａ，２５ａに付加された押圧力の反力を受ける反力部材として機能する。この結果、バッテリー端子１ｅは、第２スペーサ６２による押圧力によって、環状部２４ａ，２５ａの板状突出部２４ｅ，２５ｅが抜け止め部７６ａ側に押圧されることでスリット２４ｄ，２５ｄの間隔が狭まる。
【０１６２】
したがって、バッテリー端子１ｅは、締結ボルト６７の回転に伴って第１スペーサ７１のテーパ面７１ｃ及び第２スペーサ６２のテーパ面６２ｄにより発生する押圧力によって、スリット２４ｄ，２５ｄの間隔が狭められることで、ポスト挿入孔２４ｃ，２５ｃの内周面とバッテリーポスト５１の外周面とが接触した状態でポスト挿入孔２４ｃ，２５ｃの径が縮小され、バッテリーポスト５１に締結される。
【０１６３】
以上のように、第六実施形態のバッテリー端子１ｅによれば、軸方向周りの締結ボルト６７の回転に伴って発生する軸方向の締付力を、第１スペーサ７１に設けられるテーパ面７１ｃと、第２スペーサ６２に設けられるテーパ面６２ｄとの作用によって、環状部２４ａ，２５ａのスリット２４ｄ，２５ｄの間隔を縮小する長辺方向の押圧力に変換することで、環状部２４ａ，２５ａをバッテリーポスト５１に締結することができる。したがって、第六実施形態のバッテリー端子１ｅは、上記の第一〜第五実施形態のバッテリー端子１，１ａ，１ｂ，１ｃ，１ｄと同様の効果を奏することができる。
【０１６４】
なお、第六実施形態では、締結ボルト６７と螺合する被締結部材を、貫通板７６上の螺合孔７６ｂとし、締結ボルト６７と貫通板７６との間で軸方向の締付力を発生させる構成を例示したが、被締結部材として別体のナットを有する構成としてもよい。
【０１６５】
［第七実施形態］
図２７〜３０を参照して第七実施形態を説明する。図２７は、本発明の第七実施形態に係るバッテリー端子の概略構成を示す斜視図である。図２８は、図２７に示すバッテリー端子の分解斜視図である。図２９は、図２７中のＬ９矢視図である。図３０は、図２７中のＬ１０矢視図である。
【０１６６】
図２７〜３０に示すように、第七実施形態のバッテリー端子１ｆは、締付部８３の構成のうち、貫通板８６の抜け止め機能に関する構成が、第六実施形態のバッテリー端子１ｅと異なるものである。具体的には、第七実施形態のバッテリー端子１ｆでは、第六実施形態のバッテリー端子１ｅにおいて、貫通板７６の一端部７６ｄに一体的に設けられていた抜け止め部７６ａの代わりに、第五実施形態の抜け止め部材６４が適用されている。
【０１６７】
第七実施形態のバッテリー端子１ｆは、本体部２１と、スタッドボルト２２と、締付部８３とを備える。締付部８３は、貫通板８６と、締結ボルト６７（締結部材）と、第１スペーサ７１（押圧力変換部材）と、第２スペーサ６２（押圧力変換部材）と、抜け止め部材６４と、を備える。なお、本体部２１、スタッドボルト２２、締結ボルト６７、第１スペーサ７１、第２スペーサ６２の構成については、第六実施形態のバッテリー端子１ｅと同様であり、また、抜け止め部材６４は第五実施形態のバッテリー端子１ｄと同様であるので、具体的な説明を省略する。
【０１６８】
図２８に示すように、貫通板８６は、その長辺方向の一端部８６ｄにて、短辺方向の両縁端に抜け止め部材６４と係合する一対の切欠き部８６ａが形成されている。切欠き部８６ａは、第五実施形態の切欠き部６６ａと同等の形状である。つまり、本実施形態では、貫通板８６の切欠き部８６ａと、この切欠き部８６ａに嵌合される抜け止め部材６４とが、第一実施形態の抜け止め部２６ａと同様に機能する。また、貫通板８６は、切欠き部８６ａが設けられる一端部８６ｄと反対側の他端部８６ｅに、第六実施形態の螺合孔７６ｂと同等の構成の螺合孔８６ｂを有する。貫通板８６の一端部８６ｄの、切欠き部８６ａよりも縁端の部分は、短辺方向の両側に突出して形成されており、切欠き部８６ａに抜け止め部材６４が嵌合されたときに、抜け止め部材６４の短辺方向の長さと同等となるように構成されている。
【０１６９】
本実施形態において、締付部８３を本体部２１に組み付ける際には、まず、第２スペーサ６２の端面６２ｂと、本体部２１の被押圧面１０２ａが当接するように、第２スペーサ６２が本体部２１に嵌合される。次に、貫通板８６の切欠き部８６ａに対して、軸方向上方から抜け止め部材６４が嵌合され、本体部２１の被押圧面１０２ｂ側の開口から、貫通板８６の他端部８６ｅが挿入される。貫通板８６は、抜け止め部材６４の当接面６４ｃが本体部２１の被押圧面１０２ｂと当接するまで挿入される。これにより、貫通板８６は、本体部２１のスリット２４ｄ，２５ｄを横断するように、板状突出部２４ｅ，２５ｅを貫通し、貫通板８６の他端部８６ｅ側が第２スペーサ６２の貫通孔６２ａから長辺方向の外側に進出される。以降の工程は第六実施形態と同様であるので説明を省略する。
【０１７０】
第七実施形態のバッテリー端子１ｆは、第六実施形態のバッテリー端子１ｅと同様に、第１スペーサ７１に設けられるテーパ面７１ｃと、第２スペーサ６２に設けられるテーパ面６２ｄとを備える構成であるので、これらのテーパ面７１ｃ及びテーパ面６２ｄの作用によって、第六実施形態のバッテリー端子１ｅと同様の効果を奏することができる。
【０１７１】
［第八実施形態］
図３１〜３４を参照して第八実施形態を説明する。図３１は、本発明の第八実施形態に係るバッテリー端子の概略構成を示す斜視図である。図３２は、図３１に示すバッテリー端子の分解斜視図である。図３３は、図３１中のＬ１１矢視図である。図３４は、図３１中のＬ１２矢視図である。
【０１７２】
図３１〜３４に示すように、第八実施形態のバッテリー端子１ｇは、締付部９３の構成が第五実施形態のバッテリー端子１ｄと異なるものである。本実施形態の締付部９３の構成は、第五実施形態のバッテリー端子１ｄの締付部６３と比較して、部品点数を低減し、かつ、同等の作用効果を奏するものである。
【０１７３】
第八実施形態のバッテリー端子１ｇは、本体部２１と、スタッドボルト２２と、締付部９３とを備える。締付部９３は、貫通板９６と、締結ボルト６７（締結部材）と、ナット９９（被締結部材）と、第１スペーサ６１（スペーサ、押圧力変換部材）と、を備える。本実施形態の締付部９３は、第２スペーサ６２を備えない点で、第五実施形態の締付部６３と異なる。なお、スタッドボルト２２及び締結ボルト６７の構成については、第五実施形態のバッテリー端子１ｄと同様であるので説明を省略する。
【０１７４】
貫通板９６は、軸方向に所定の間隙を取って対向配置される２つの平板部９６ａ，９６ｂと、これらの２つの平板部９６ａ，９６ｂを連結する連結部９６ｃと、を有する。平板部９６ａ，９６ｂは、第五実施形態の貫通板６６と同様に長辺方向に延在する板状部材である。一方の平板部９６ａは、他方の平板部９６ｂの鉛直方向（軸方向）上側に配置されている。連結部９６ｃは、長辺方向の一端部９６ｈにて、２つの平板部９６ａ，９６ｂを連結する。つまり、貫通板９６は、短辺方向視において倒Ｕ字状となるように形成されている。
【０１７５】
貫通板９６は、連結部９６ｃが設けられる一端部９６ｈ側に、長辺方向に沿った長穴形状の孔部９６ｅを有する。孔部９６ｅは、２つの平板部９６ａ，９６ｂの両方に形成され、軸方向に重畳するよう設けられている。
【０１７６】
貫通板９６は、連結部９６ｃと反対側の長辺方向の他端部９６ｇに抜け止め部９６ｄを有する。抜け止め部９６ｄは、２つの平板部９６ａ，９６ｂの自由端のそれぞれに設けられている。鉛直方向上側に位置する平板部９６ａでは、抜け止め部９６ｄは、長辺方向の他端部９６ｇを鉛直方向上側にＬ字型（例えば直角）に折り曲げられて形成されている。一方、鉛直方向下側に位置する平板部９６ｂでは、抜け止め部９６ｄは、長辺方向の他端部９６ｇを鉛直方向下側にＬ字型（例えば直角）に折り曲げられて形成されている。つまり、抜け止め部９６ｄは、長辺方向の他端部９６ｇにおいて、２つの平板部９６ａ，９６ｂから軸方向の両側に突出して形成されている。
【０１７７】
このように、貫通板９６は、短辺方向視において倒Ｕ字状となるように形成されており、長辺方向に沿って平行配置される２つの平板部９６ａ，９６ｂの自由端に抜け止め部９６ｄが設けられている。したがって、貫通板９６に対して鉛直方向（軸方向）の上側及び下側から平板部９６ａ，９６ｂが押圧されると、平板部９６ａ，９６ｂの他端部９６ｇ側が相互に接近するように弾性変形し、抜け止め部９６ｄの軸方向寸法を縮小することができる。
【０１７８】
さらに、貫通板９６の一端部９６ｈには、第１スペーサ６１の引付用テーパ面６１ｄ（第２テーパ面）と当接する凸部９６ｉが短辺方向の両縁端に突設されている。また、この凸部９６ｉには、引付用テーパ面６１ｄと正対して配置されるように、テーパ面９６ｆが形成されている。
【０１７９】
ナット９９は、基本的な機能は第五実施形態のナット６９と同様であるが、貫通板９６の２つの平板部９６ａ，９６ｂの間に配置され、鉛直方向上側の平板部９６ａに設けられた孔部９６ｅを介して、締結ボルト６７と螺合するよう構成されている。つまり、ナット９９の高さは、２つの平板部９６ａ，９６ｂの間の間隙より小さく設定されている。
【０１８０】
第１スペーサ６１は、その構成については第五実施形態の第１スペーサ６１と同様であるが、本実施形態では第２スペーサ６２が構成要素として含まれないため、押圧用テーパ面６１ｃ（第１テーパ面）が環状部２４ａ，２５ａと当接可能な位置に形成されている。なお、第１スペーサ６１の引付用テーパ面６１ｄは、第五実施形態と同様に、貫通板９６の凸部９６ｉと当接可能な位置に形成されている。
【０１８１】
また、本実施形態では、本体部２１の環状部２４ａ，２５ａの長辺方向の端部であって第１スペーサ６１と当接する端部、すなわち、板状突出部２４ｅ，２５ｅの被押圧面１０２ａ側の端部に、第１スペーサ６１の押圧用テーパ面６１ｃと当接するテーパ面１０３，１０４（第３テーパ面）が形成されている。テーパ面１０３は、屈曲連結部１０１の端面に形成されており、テーパ面１０４は、テーパ面１０３から短辺方向に所定距離（第１スペーサ６１の一対の直立部６１ｂの間の距離）をとって、テーパ面１０３と同一の仮想平面上に位置するように形成されている。つまり、テーパ面１０３，１０４には、第１スペーサ６１の一対の直立部６１ｂのそれぞれに設けられる押圧用テーパ面６１ｃが正対して配置される。
【０１８２】
また、板状突出部２４ｅ，２５ｅの被押圧面１０２ａ側の端部には、貫通板９６の孔部９６ｅと軸方向で重畳する部分に、孔部９６ｅの形状に沿って切欠き部１０５が形成されている。
【０１８３】
本実施形態において、締付部９３を本体部２１に組み付ける際には、まず、貫通板９６の２つの平板部９６ａ，９６ｂの間の孔部９６ｅの位置にナット９９が挿入される。次に、締付部９３の他端部９６ｇ側が軸方向両側から押圧されて、平板部９６ａ，９６ｂが弾性変形して、抜け止め部９６ｄの軸方向寸法が縮小される。この状態で、貫通板９６の他端部９６ｇが、本体部２１の被押圧面１０２ａ側の開口に挿入され、本体部２１のスリット２４ｄ，２５ｄを横断するように、板状突出部２４ｅ，２５ｅを貫通することで、他端部９６ｇの抜け止め部９６ｄが、本体部２１の被押圧面１０２ｂより長辺方向の外側に進出される。このとき、弾性変形していた貫通板９６の他端部９６ｇは、抜け止め部９６ｄの軸方向寸法が拡大するように弾性回復する。これにより、抜け止め部９６ｄが本体部２１の被押圧面１０２ｂに係止され、貫通板９６が本体部２１の被押圧面１０２ａ側に抜けるのが防止される。
【０１８４】
次に、本体部２１の環状部２４ａ，２５ａのテーパ面１０３，１０４に、第１スペーサ６１の押圧用テーパ面６１ｃが当接するように、かつ、貫通板９６の凸部９６ｉのテーパ面９６ｆに、第１スペーサ６１の引付用テーパ面６１ｄが当接するように、第１スペーサ６１が環状部２４ａ，２５ａ及び貫通板９６に組み合わせられる。軸方向上方から締結ボルト６７が、第１スペーサ６１の孔部、貫通板９６の上側の平板部９６ａに設けられた孔部９６ｅに挿通されて、貫通板９６の２つの平板部９６ａ，９６ｂの間に配置されたナット９９に螺合される。このようにして、締付部９３が本体部２１に組み付けられる。
【０１８５】
第八実施形態のバッテリー端子１ｇによれば、軸方向周りの締結ボルト６７の回転に伴って発生する軸方向の締付力を、第１スペーサ６１に設けられる押圧用テーパ面６１ｃと、本体部２１の環状部２４ａ，２５ａのテーパ面１０３，１０４との作用によって、環状部２４ａ，２５ａのスリット２４ｄ，２５ｄの間隔を縮小する長辺方向の押圧力に変換することで、環状部２４ａ，２５ａをバッテリーポスト５１に締結することができる。また、軸方向周りの締結ボルト６７の回転に伴って発生する軸方向の締付力を、第１スペーサ６１に設けられる引付用テーパ面６１ｄの作用によって、貫通板９６の抜け止め部９６ｄを長辺方向の孔部９６ｅ側に引き付ける引付力に変換することができる。つまり、第八実施形態のバッテリー端子１ｇは、第五実施形態のバッテリー端子１ｄと同様に、環状部２４ａ，２５ａのスリット２４ｄ，２５ｄの間隔を縮小する長辺方向の押圧力及び引付力を生成することができるので、第五実施形態のバッテリー端子１ｄと同様の効果を奏することができる。
【０１８６】
［第九実施形態］
図３５，３６を参照して第九実施形態を説明する。図３５は、本発明の第九実施形態に係るバッテリー端子の概略構成を示す斜視図である。図３６は、図３５に示すバッテリー端子の分解斜視図である。
【０１８７】
図３５，３６に示すように、第九実施形態のバッテリー端子１ｈは、締付部１１３の構成のうち、押圧力変換部材に係る構成が、第七実施形態のバッテリー端子１ｆと異なるものである。本実施形態の締付部１１３の構成は、第七実施形態のバッテリー端子１ｆの締付部８３と比較して、部品点数を低減し、かつ、同等の作用効果を奏するものである。
【０１８８】
第九実施形態のバッテリー端子１ｈは、本体部２１と、スタッドボルト２２と、締付部１１３とを備える。締付部１１３は、貫通板８６と、締結ボルト６７（締結部材）と、第１スペーサ７１（スペーサ、押圧力変換部材）と、テーパ状部１１２（押圧力変換部材）と、抜け止め部材６４と、を備える。なお、本体部２１、スタッドボルト２２、貫通板８６、締結ボルト６７、第１スペーサ７１、抜け止め部材６４の構成については、第七実施形態のバッテリー端子１ｆと同様であるので具体的な説明を省略する。つまり、本実施形態の締付部１１３は、第２スペーサ６２の代わりにテーパ状部１１２を備える点で、第七実施形態の締付部８３と異なる。
【０１８９】
図３５，３６に示すように、テーパ状部１１２は、本体部２１の環状部２４ａ，２５ａの長辺方向の端部であって、第１スペーサ７１が取り付けられる側の端部（板状突出部２４ｅ，２５ｅの被押圧面１０２ｂと反対側の端部）において、環状部２４ａ，２５ａと一体的に形成されている。テーパ状部１１２は、板状突出部２５ｅと同一部材であり、板状突出部２５ｅから長辺方向の端部に突設されている。テーパ状部１１２は、板状突出部２５ｅと同一平面上に配置される底板部１１２ａと、この底板部１１２ａから板状突出部２４ｅ側に屈曲する板状の屈曲板部１１２ｂとを有する。屈曲板部１１２ｂは、基端部にて底板部１１２ａと連設し、底板部１１２ａに対して短辺方向に沿った軸まわりで屈曲して、先端部にて板状突出部２４ｅと当接している。底板部１１２ａと屈曲板部１１２ｂとのなす角は鋭角である。テーパ状部１１２の外形は、短辺方向から視たときに略三角形状となっている。
【０１９０】
テーパ状部１１２は、貫通板８６に対して長辺方向に相対移動可能に設けられ、第１スペーサ７１と当接する。テーパ状部１１２の屈曲板部１１２ｂの中央部には開口部１１２ｃが形成されている。開口部１１２ｃの形状は、長辺方向に沿って貫通板８６を挿通可能に形成されている。これにより、テーパ状部１１２は、この開口部１１２ｃに貫通板８６を挿通させることで、貫通板８６に対して本体部２１と共に長辺方向に相対移動可能となっている。テーパ状部１１２の屈曲板部１１２ｂの外表面（板状突出部２４ｅとの当接面の反対側の面）は、第１スペーサ７１（スペーサ）のテーパ面７１ｃ（第１テーパ面）と当接するテーパ面１１２ｄ（第２テーパ面）が形成されている。テーパ面１１２ｄは、屈曲板部１１２ｂの先端側（軸方向の板状突出部２４ｅ側）では本体部２１との長辺方向の間隙が小さく、屈曲板部１１２ｂの基端側（軸方向の板状突出部２５ｅ側）に進むにつれて本体部２１との長辺方向の間隙が徐々に大きくなるような傾斜を有している。
【０１９１】
また、開口部１１２ｃは、屈曲板部１１２ｂの基端側では底板部１１２ａとの境界まで到達しており、ここでは屈曲板部１１２ｂと連設していない底板部１１２ａの端部が露出している。底板部１１２ａの端部には、貫通板８６の螺合孔８６ｂと軸方向で重畳する部分に、螺合孔８６ｂの形状に沿って切欠き部１１２ｅが形成されている。
【０１９２】
第１スペーサ７１に設けられるテーパ面７１ｃと、テーパ状部１１２に設けられるテーパ面１１２ｄは、締結ボルト６７が軸方向周りの回転に伴って、軸方向に沿って螺合孔８６ｂ側に接近した際に、締結ボルト６７と螺合孔８６ｂとの間に発生する軸方向の締付力を、環状部２４ａ，２５ａのスリット２４ｄ，２５ｄの間隔を縮小する方向、すなわち、長辺方向の貫通板８６の抜け止め部（切欠き部８６ａに嵌合されている抜け止め部材６４）側に、第１スペーサ７１がテーパ状部１１２を押圧する長辺方向の押圧力に変換する方向に傾斜を有する。本実施形態では、第１スペーサ７１のテーパ面７１ｃは、軸方向に沿って締結ボルト６７の頭部６７ｂ側から離間するにしたがって、第１スペーサ７１の直立部７１ｂの長辺方向の幅が徐々に縮小するような傾斜を有している。第１スペーサ７１のテーパ面７１ｃと、テーパ状部１１２のテーパ面１１２ｄとは、互いに正対して配置されている。
【０１９３】
本実施形態において、締付部１１３を本体部２１に組み付ける際には、まず、貫通板８６の切欠き部８６ａに対して、軸方向上方から抜け止め部材６４が嵌合され、本体部２１の被押圧面１０２ｂ側の開口から、貫通板８６の他端部８６ｅが挿入される。貫通板８６は、抜け止め部材６４の当接面６４ｃが本体部２１の被押圧面１０２ｂと当接するまで挿入される。これにより、貫通板８６は、本体部２１のスリット２４ｄ，２５ｄを横断するように、板状突出部２４ｅ，２５ｅを貫通し、貫通板８６の他端部８６ｅ側がテーパ状部１１２の開口部１１２ｃから長辺方向の外側に進出される。
【０１９４】
次に、テーパ状部１１２のテーパ面１１２ｄに、第１スペーサ７１のテーパ面７１ｃが当接するように、かつ、第１スペーサ７１の孔部が貫通板８６の螺合孔８６ｂと軸方向に重畳するように、第１スペーサ７１がテーパ状部１１２及び貫通板８６に組み合わせられる。軸方向上方から締結ボルト６７が、第１スペーサ７１の孔部に挿通されて、貫通板８６の螺合孔８６ｂに螺合される。このようにして、締付部１１３が本体部２１に組み付けられる。
【０１９５】
第九実施形態のバッテリー端子１ｈにおいて、テーパ状部１１２に設けられるテーパ面１１２ｄは、第七実施形態のバッテリー端子１ｆにおける第２スペーサ６２に設けられるテーパ面６２ｄを代用するものであるので、これらのテーパ面１１２ｄ及びテーパ面６２ｄの機能は同様である。したがって、第九実施形態のバッテリー端子１ｈは、第１スペーサ７１に設けられるテーパ面７１ｃと、テーパ状部１１２に設けられるテーパ面１１２ｄとを備える構成であるので、これらのテーパ面７１ｃ及びテーパ面１１２ｄの作用によって、第七実施形態のバッテリー端子１ｆと同様の効果を奏することができる。
【０１９６】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態及びその変形は、発明の範囲や要旨に含まれると同様に、請求の範囲に記載された発明とその均等の範囲に含まれるものである。
【符号の説明】
【０１９７】
１，１ａ，１ｂ，１ｃ，１ｄ，１ｅ，１ｆ，１ｇ，１ｈ  バッテリー端子
２４ａ，２５ａ  環状部
２４ｃ，２５ｃ  ポスト挿入孔
２４ｄ，２５ｄ  スリット
２６，３６，６６，７６，８６，９６  貫通板（保持部材）
２６ａ，９６ｄ  抜け止め部（環状部保持部）
２６ｂ，７６ｂ，８６ｂ  螺合孔（締結部材支持部、被締結部材）
２７，３７，４７，５７，６７  締結ボルト（ボルト、締結部材）
２７ｃ  ボルト側テーパ面（テーパ面）
２８，４８，５８  スペーサ（押圧力変換部材）
２８ｄ  スペーサ側テーパ面（テーパ面）
３６ｂ，５６ｂ，６６ｂ，９６ｅ  孔部（締結部材支持部）
３８  テーパナット（ナット、被締結部材、押圧力変換部材）
３８ｄ，４８ｄ  テーパ面  
４９，５９，６９，９９  ナット（被締結部材）
５０  バッテリー
５１  バッテリーポスト
５６  保持部材
５６ａ  環状部保持部
５６ｃ  縁端突設部
５８ａ  第１テーパ面
５８ｂ  第２テーパ面
６１，７１  第１スペーサ（スペーサ、押圧力変換部材）
６２  第２スペーサ（押圧力変換部材）
６１ｃ  押圧用テーパ面（第１テーパ面）
６２ｄ  テーパ面（第２テーパ面）
６１ｄ  引付用テーパ面（第２テーパ面、第３テーパ面）
７１ｃ  テーパ面（第１テーパ面）
１０３，１０４  テーパ面（第３テーパ面）
６４  抜け止め部材（板状部材、抜け止め部）
７６ａ  抜け止め部（板状部材、環状部保持部）
６６ａ，８６ａ  切欠き部（抜け止め部）
１１２  テーパ状部
１１２ｄ  テーパ面（第２テーパ面）
【図１】
2015087633.tif 000003
【図２】
2015087633.tif 000004
【図３】
2015087633.tif 000005
【図４】
2015087633.tif 000006
【図５】
2015087633.tif 000007
【図６】
2015087633.tif 000008
【図７】
2015087633.tif 000009
【図８】
2015087633.tif 000010
【図９】
2015087633.tif 000011
【図１０】
2015087633.tif 000012
【図１１】
2015087633.tif 000013
【図１２】
2015087633.tif 000014
【図１３】
2015087633.tif 000015
【図１４】
2015087633.tif 000016
【図１５】
2015087633.tif 000017
【図１６】
2015087633.tif 000018
【図１７】
2015087633.tif 000019
【図１８】
2015087633.tif 000020
【図１９】
2015087633.tif 000021
【図２０】
2015087633.tif 000022
【図２１】
2015087633.tif 000023
【図２２】
2015087633.tif 000024
【図２３】
2015087633.tif 000025
【図２４】
2015087633.tif 000026
【図２５】
2015087633.tif 000027
【図２６】
2015087633.tif 000028
【図２７】
2015087633.tif 000029
【図２８】
2015087633.tif 000030
【図２９】
2015087633.tif 000031
【図３０】
2015087633.tif 000032
【図３１】
2015087633.tif 000033
【図３２】
2015087633.tif 000034
【図３３】
2015087633.tif 000035
【図３４】
2015087633.tif 000036
【図３５】
2015087633.tif 000037
【図３６】
2015087633.tif 000038
【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
バッテリーポストが挿入されるポスト挿入孔、及び、該ポスト挿入孔と連続するスリットが形成された環状部と、
前記バッテリーポストの軸方向と交差する方向であって、前記スリットを横断する方向である幅方向に沿って、前記環状部の一端部から前記スリットを挟んで前記環状部の他端部まで延在して配置される保持部材と、
前記保持部材の一端部に設けられ、前記環状部を保持する環状部保持部と、
前記保持部材の他端部に設けられる締結部材支持部と、
前記締結部材支持部に前記軸方向周りに回転可能に支持される締結部材と、
前記締結部材と螺合する被締結部材と、
前記保持部材の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、
を備え、
前記保持部材は、前記バッテリーポストの前記軸方向と交差する方向であって、前記スリットを横断する方向である前記幅方向に沿って、前記環状部の一端部から前記スリットを挟んで前記環状部の他端部までを貫通して配置される貫通板であり、
前記環状部保持部は、前記貫通板の一端部に設けられ、前記貫通板の前記環状部からの抜け出しを防止する抜け止め部であり、
前記被締結部材は、前記貫通板の前記他端部にて前記軸方向に貫通して設けられた螺合孔を含み、
前記締結部材は、前記軸方向周りに回転可能に前記螺合孔に螺合するボルトであり、
前記締結部材支持部は、前記螺合孔を含み、
前記押圧力変換部材は、前記貫通板に対して前記幅方向に相対移動可能に配置され、前記幅方向の一端が前記ボルトの頭部と当接し、前記幅方向の他端が前記環状部と当接するスペーサであり、
前記スペーサと当接する前記ボルトの前記頭部、及び、前記ボルトと当接する前記スペーサの前記他端の少なくとも一方にテーパ面が形成されており、
前記テーパ面は、前記ボルトが前記軸方向周りの回転に伴って前記螺合孔側に接近した際に、前記ボルトと前記貫通板との間に発生する締付力によって前記ボルトが前記スペーサを押圧する前記軸方向の押圧力を、前記環状部の前記スリットの間隔を縮小する方向に前記スペーサが前記環状部を押圧する前記幅方向の押圧力に変換する方向に傾斜を有することを特徴とするバッテリー端子。
【請求項２】
バッテリーポストが挿入されるポスト挿入孔、及び、該ポスト挿入孔と連続するスリットが形成された環状部と、
前記バッテリーポストの軸方向と交差する方向であって、前記スリットを横断する方向である幅方向に沿って、前記環状部の一端部から前記スリットを挟んで前記環状部の他端部まで延在して配置される保持部材と、
前記保持部材の一端部に設けられ、前記環状部を保持する環状部保持部と、
前記保持部材の他端部に設けられる締結部材支持部と、
前記締結部材支持部に前記軸方向周りに回転可能に支持される締結部材と、
前記締結部材と螺合する被締結部材と、
前記保持部材の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、
を備え、
前記保持部材は、前記バッテリーポストの前記軸方向と交差する方向であって、前記スリットを横断する方向である前記幅方向に沿って、前記環状部の一端部から前記スリットを挟んで前記環状部の他端部までを貫通して配置される貫通板であり、
前記環状部保持部は、前記貫通板の一端部に設けられ、前記貫通板の前記環状部からの抜け出しを防止する抜け止め部であり、
前記締結部材支持部は、前記貫通板の前記他端部にて前記軸方向に貫通して設けられ、前記幅方向に沿った長穴形状の孔部を含み、
前記締結部材は、前記貫通板の前記孔部に前記軸方向周りに回転可能に支持されるボルトであり、
前記被締結部材は、前記軸方向に対して前記貫通板を挟んで前記ボルトと対向し該ボルトと螺合すると共に、前記軸方向周りの回転を規制され、前記幅方向の一端に前記貫通板と当接するテーパ面が形成され、前記幅方向の他端が前記環状部と当接するナットであり、
前記押圧力変換部材は、前記ナットであり、
前記ナットに設けられる前記テーパ面は、前記軸方向周りの前記ボルトの回転に伴って前記ナットが前記軸方向に沿って前記ボルト側に接近した際に、前記ボルトと前記ナットとの間に発生する前記軸方向の締付力を、前記環状部の前記スリットの間隔を縮小する方向に前記ナットが前記環状部を押圧する前記幅方向の押圧力に変換する方向に傾斜を有することを特徴とするバッテリー端子。
【請求項３】
バッテリーポストが挿入されるポスト挿入孔、及び、該ポスト挿入孔と連続するスリットが形成された環状部と、
前記バッテリーポストの軸方向と交差する方向であって、前記スリットを横断する方向である幅方向に沿って、前記環状部の一端部から前記スリットを挟んで前記環状部の他端部まで延在して配置される保持部材と、
前記保持部材の一端部に設けられ、前記環状部を保持する環状部保持部と、
前記保持部材の他端部に設けられる締結部材支持部と、
前記締結部材支持部に前記軸方向周りに回転可能に支持される締結部材と、
前記締結部材と螺合する被締結部材と、
前記保持部材の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、
を備え、
前記保持部材は、前記バッテリーポストの前記軸方向と交差する方向であって、前記スリットを横断する方向である前記幅方向に沿って、前記環状部の一端部から前記スリットを挟んで前記環状部の他端部までを貫通して配置される貫通板であり、
前記環状部保持部は、前記貫通板の一端部に設けられ、前記貫通板の前記環状部からの抜け出しを防止する抜け止め部であり、
前記締結部材支持部は、前記貫通板の前記他端部にて前記軸方向に貫通して設けられ、前記幅方向に沿った長穴形状の孔部を含み、
前記締結部材は、前記貫通板の前記孔部に前記軸方向周りに回転可能に支持されるボルトであり、
前記被締結部材は、前記軸方向に対して前記貫通板を挟んで前記ボルトと対向し該ボルトと螺合するナットであり、
前記押圧力変換部材は、前記ボルトと前記貫通板との間にて前記ボルトに貫通されて配置され、前記軸方向周りの回転を規制され、前記幅方向の一端に前記貫通板と当接するテーパ面が形成され、前記幅方向の他端が前記環状部と当接するスペーサであり、
前記スペーサに設けられる前記テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記スペーサが前記環状部を押圧する前記幅方向の押圧力に変換する方向に傾斜を有することを特徴とするバッテリー端子。
【請求項４】
バッテリーポストが挿入されるポスト挿入孔、及び、該ポスト挿入孔と連続するスリットが形成された環状部と、
前記バッテリーポストの軸方向と交差する方向であって、前記スリットを横断する方向である幅方向に沿って、前記環状部の一端部から前記スリットを挟んで前記環状部の他端部まで延在して配置される保持部材と、
前記保持部材の一端部に設けられ、前記環状部を保持する環状部保持部と、
前記保持部材の他端部に設けられる締結部材支持部と、
前記締結部材支持部に前記軸方向周りに回転可能に支持される締結部材と、
前記締結部材と螺合する被締結部材と、
前記保持部材の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、
を備え、
前記締結部材支持部は、前記保持部材の前記他端部にて前記軸方向に貫通して設けられる孔部を含み、
前記締結部材は、前記保持部材の前記孔部に前記軸方向周りに回転可能に支持されるボルトであり、
前記被締結部材は、前記軸方向に対して前記保持部材を挟んで前記ボルトと対向し該ボルトと螺合するナットであり、
前記押圧力変換部材は、前記ボルトと前記保持部材との間にて前記ボルトに貫通されて配置され、前記軸方向周りの回転を規制されたスペーサであり、
前記スペーサには、前記環状部の前記幅方向の端部であって前記環状部保持部によって保持された端部とは反対側の端部に当接する第１テーパ面が形成され、
前記スペーサに設けられる前記第１テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記スペーサが前記環状部を押圧する前記幅方向の押圧力に変換する方向に傾斜を有することを特徴とするバッテリー端子。
【請求項５】
前記保持部材の前記他端部の縁端に設けられ、前記軸方向の前記ボルトが配置される側に突設される縁端突設部を有し、
前記孔部は、前記幅方向に沿った長穴形状であり、
前記スペーサには、前記幅方向に対して前記第１テーパ面の背面側に設けられ、前記保持部材の前記縁端突設部と当接する第２テーパ面が形成され、
前記スペーサに設けられる前記第２テーパ面は、前記ボルトが前記軸方向周りの回転に伴って、前記軸方向に沿って前記ナット側に接近した際に、前記ボルトと前記ナットとの間に発生する前記軸方向の締付力を、前記第２テーパ面と当接する前記縁端突設部を介して前記保持部材の前記環状部保持部を前記幅方向の前記締結部材支持部側に引き付ける引付力に変換する方向に傾斜を有する
ことを特徴とする、請求項４に記載のバッテリー端子。
【請求項６】
バッテリーポストが挿入されるポスト挿入孔、及び、該ポスト挿入孔と連続するスリットが形成された環状部と、
前記バッテリーポストの軸方向と交差する方向であって、前記スリットを横断する方向である幅方向に沿って、前記環状部の一端部から前記スリットを挟んで前記環状部の他端部まで延在して配置される保持部材と、
前記保持部材の一端部に設けられ、前記環状部を保持する環状部保持部と、
前記保持部材の他端部に設けられる締結部材支持部と、
前記締結部材支持部に前記軸方向周りに回転可能に支持される締結部材と、
前記締結部材と螺合する被締結部材と、
前記保持部材の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、
を備え、
前記保持部材は、前記バッテリーポストの前記軸方向と交差する方向であって、前記スリットを横断する方向である前記幅方向に沿って、前記環状部の一端部から前記スリットを挟んで前記環状部の他端部までを貫通して配置される貫通板であり、
前記環状部保持部は、前記貫通板の一端部に設けられ、前記貫通板の前記環状部からの抜け出しを防止する抜け止め部であり、
前記締結部材支持部は、前記貫通板の前記他端部にて前記軸方向に貫通して設けられる孔部を含み、
前記締結部材は、前記貫通板の前記孔部に前記軸方向周りに回転可能に支持されるボルトであり、
前記被締結部材は、前記軸方向に対して前記貫通板を挟んで前記ボルトと対向し該ボルトと螺合するナットであり、
前記押圧力変換部材は、
前記ボルトと前記貫通板との間にて前記ボルトに貫通されて配置され、前記軸方向周りの回転を規制された第１スペーサと、
前記貫通板に対して前記幅方向に相対移動可能に配置され、前記幅方向の一端が前記環状部と当接し、前記幅方向の他端が前記第１スペーサと当接する第２スペーサと、を有し、
前記第１スペーサには、前記幅方向の一端に前記第２スペーサと当接する第１テーパ面が形成され、
前記第２スペーサには、前記幅方向の他端に前記第１テーパ面と当接する第２テーパ面が形成され、
前記第１スペーサに設けられる前記第１テーパ面と、前記第２スペーサに設けられる前記第２テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記第２スペーサが前記環状部を押圧する前記幅方向の押圧力に変換する方向に傾斜を有することを特徴とするバッテリー端子。
【請求項７】
前記孔部は、前記幅方向に沿った長穴形状であり、
前記第１スペーサには、前記幅方向に対して前記第１テーパ面の背面側に設けられ、前記貫通板と当接する第３テーパ面が形成され、
前記第１スペーサに設けられる前記第３テーパ面は、前記ボルトが前記軸方向周りの回転に伴って、前記軸方向に沿って前記ナット側に接近した際に、前記ボルトと前記ナットとの間に発生する前記軸方向の締付力を、前記第３テーパ面と当接する前記貫通板を介して前記抜け止め部を前記幅方向の前記孔部側に引き付ける引付力に変換する方向に傾斜を有する
ことを特徴とする、請求項６に記載のバッテリー端子。
【請求項８】
バッテリーポストが挿入されるポスト挿入孔、及び、該ポスト挿入孔と連続するスリットが形成された環状部と、
前記バッテリーポストの軸方向と交差する方向であって、前記スリットを横断する方向である幅方向に沿って、前記環状部の一端部から前記スリットを挟んで前記環状部の他端部まで延在して配置される保持部材と、
前記保持部材の一端部に設けられ、前記環状部を保持する環状部保持部と、
前記保持部材の他端部に設けられる締結部材支持部と、
前記締結部材支持部に前記軸方向周りに回転可能に支持される締結部材と、
前記締結部材と螺合する被締結部材と、
前記保持部材の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、
を備え、
前記保持部材は、前記バッテリーポストの前記軸方向と交差する方向であって、前記スリットを横断する方向である前記幅方向に沿って、前記環状部の一端部から前記スリットを挟んで前記環状部の他端部までを貫通して配置される貫通板であり、
前記環状部保持部は、前記貫通板の一端部に設けられ、前記貫通板の前記環状部からの抜け出しを防止する抜け止め部であり、
前記被締結部材は、前記貫通板の前記他端部にて前記軸方向に貫通して設けられた螺合孔を含み、
前記締結部材は、前記軸方向周りに前記螺合孔に回転可能に支持されるボルトであり、
前記締結部材支持部は、前記螺合孔を含み、
前記押圧力変換部材は、
前記ボルトと前記貫通板との間にて前記ボルトに貫通されて配置され、前記軸方向周りの回転を規制された第１スペーサと、
前記貫通板に対して前記幅方向に相対移動可能に配置され、前記幅方向の一端が前記環状部と当接し、前記幅方向の他端が前記第１スペーサと当接する第２スペーサと、を有し、
前記第１スペーサには、前記幅方向の一端に前記第２スペーサと当接する第１テーパ面が形成され、
前記第２スペーサには、前記幅方向の他端に前記第１テーパ面と当接する第２テーパ面が形成され、
前記第１スペーサに設けられる前記第１テーパ面と、前記第２スペーサに設けられる前記第２テーパ面は、前記ボルトが前記軸方向周りの回転に伴って、前記軸方向に沿って前記螺合孔側に接近した際に、前記ボルトと前記螺合孔との間に発生する前記軸方向の締付力を、前記環状部の前記スリットの間隔を縮小する方向に前記第２スペーサが前記環状部を押圧する前記幅方向の押圧力に変換する方向に傾斜を有することを特徴とするバッテリー端子。
【請求項９】
前記抜け止め部は、前記貫通板の前記一端部にて前記貫通板と直交配置され、前記貫通板と一体的に形成される板状部材である
ことを特徴とする、請求項８に記載のバッテリー端子。
【請求項１０】
バッテリーポストが挿入されるポスト挿入孔、及び、該ポスト挿入孔と連続するスリットが形成された環状部と、
前記バッテリーポストの軸方向と交差する方向であって、前記スリットを横断する方向である幅方向に沿って、前記環状部の一端部から前記スリットを挟んで前記環状部の他端部まで延在して配置される保持部材と、
前記保持部材の一端部に設けられ、前記環状部を保持する環状部保持部と、
前記保持部材の他端部に設けられる締結部材支持部と、
前記締結部材支持部に前記軸方向周りに回転可能に支持される締結部材と、
前記締結部材と螺合する被締結部材と、
前記保持部材の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、
を備え、
前記保持部材は、前記バッテリーポストの前記軸方向と交差する方向であって、前記スリットを横断する方向である前記幅方向に沿って、前記環状部の一端部から前記スリットを挟んで前記環状部の他端部までを貫通して配置される貫通板であり、
前記環状部保持部は、前記貫通板の一端部に設けられ、前記貫通板の前記環状部からの抜け出しを防止する抜け止め部であり、
前記締結部材支持部は、前記貫通板の前記他端部にて前記軸方向に貫通して設けられる孔部を含み、
前記締結部材は、前記貫通板の前記孔部に前記軸方向周りに回転可能に支持されるボルトであり、
前記貫通板は、前記軸方向に所定の間隙を取って対向配置される２つの平板部と、前記他端部の縁端にて前記２つの平板部を連結する連結部とを有し、
前記被締結部材は、前記貫通板の前記２つの平板部の間に配置され、前記孔部を介して前記ボルトと螺合するナットであり、
前記押圧力変換部材は、前記ボルトと前記貫通板との間にて前記ボルトに貫通されて配置され、前記軸方向周りの回転を規制されたスペーサであり、
前記スペーサには、前記環状部の前記幅方向の端部であって前記抜け止め部によって保持された端部とは反対側の端部に当接する第１テーパ面が形成され、
前記スペーサに設けられる前記第１テーパ面は、前記ボルトが前記軸方向周りの回転に伴って、前記軸方向に沿って前記ナット側に接近した際に、前記ボルトと前記ナットとの間に発生する前記軸方向の締付力を、前記環状部の前記スリットの間隔を縮小する方向に前記スペーサが前記環状部を押圧する前記幅方向の押圧力に変換する方向に傾斜を有することを特徴とするバッテリー端子。
【請求項１１】
前記孔部は、前記幅方向に沿った長穴形状であり、
前記スペーサには、前記幅方向に対して前記第１テーパ面の背面側に設けられ、前記貫通板と当接する第２テーパ面が形成され、
前記スペーサに設けられる前記第２テーパ面は、前記ボルトが前記軸方向周りの回転に伴って、前記軸方向に沿って前記ナット側に接近した際に、前記ボルトと前記ナットとの間に発生する前記軸方向の締付力を、前記第２テーパ面と当接する前記貫通板を介して前記抜け止め部を前記幅方向の前記孔部側に引き付ける引付力に変換する方向に傾斜を有する
ことを特徴とする、請求項１０に記載のバッテリー端子。
【請求項１２】
前記環状部の前記幅方向の端部であって前記スペーサと当接する端部に、前記スペーサの前記第１テーパ面と当接する第３テーパ面が形成される
ことを特徴とする、請求項１０または１１に記載のバッテリー端子。
【請求項１３】
バッテリーポストが挿入されるポスト挿入孔、及び、該ポスト挿入孔と連続するスリットが形成された環状部と、
前記バッテリーポストの軸方向と交差する方向であって、前記スリットを横断する方向である幅方向に沿って、前記環状部の一端部から前記スリットを挟んで前記環状部の他端部まで延在して配置される保持部材と、
前記保持部材の一端部に設けられ、前記環状部を保持する環状部保持部と、
前記保持部材の他端部に設けられる締結部材支持部と、
前記締結部材支持部に前記軸方向周りに回転可能に支持される締結部材と、
前記締結部材と螺合する被締結部材と、
前記保持部材の前記他端部側から前記環状部と当接して配置され、前記軸方向周りの前記締結部材の回転に伴って前記締結部材と前記被締結部材との間に発生する前記軸方向の締付力を、前記幅方向のうち前記環状部の前記スリットの間隔を縮小する方向に前記環状部を押圧する前記幅方向の押圧力に変換する押圧力変換部材と、
を備え、
前記保持部材は、前記バッテリーポストの前記軸方向と交差する方向であって、前記スリットを横断する方向である前記幅方向に沿って、前記環状部の一端部から前記スリットを挟んで前記環状部の他端部までを貫通して配置される貫通板であり、
前記環状部保持部は、前記貫通板の一端部に設けられ、前記貫通板の前記環状部からの抜け出しを防止する抜け止め部であり、
前記被締結部材は、前記貫通板の前記他端部にて前記軸方向に貫通して設けられた螺合孔を含み、
前記締結部材は、前記軸方向周りに前記螺合孔に回転可能に支持されるボルトであり、
前記締結部材支持部は、前記螺合孔を含み、
前記押圧力変換部材は、
前記ボルトと前記貫通板との間にて前記ボルトに貫通されて配置され、前記軸方向周りの回転を規制されたスペーサと、
前記環状部の前記幅方向の端部において前記環状部と一体的に形成され、前記貫通板に対して前記幅方向に相対移動可能に設けられ、前記スペーサと当接するテーパ状部と、を有し、
前記スペーサには、前記テーパ状部と当接する第１テーパ面が形成され、
前記テーパ状部には、前記第１テーパ面と当接する第２テーパ面が形成され、
前記スペーサに設けられる前記第１テーパ面と、前記テーパ状部に設けられる前記第２テーパ面は、前記ボルトが前記軸方向周りの回転に伴って、前記軸方向に沿って前記螺合孔側に接近した際に、前記ボルトと前記螺合孔との間に発生する前記軸方向の締付力を、前記環状部の前記スリットの間隔を縮小する方向に前記スペーサが前記テーパ状部を押圧する前記幅方向の押圧力に変換する方向に傾斜を有することを特徴とするバッテリー端子。
【請求項１４】
前記抜け止め部は、
前記貫通板の前記一端部に設けられた切欠き部と、
前記切欠き部に嵌合することで前記貫通板と直交配置される板状部材と、
を有する
ことを特徴とする、請求項８又は請求項１３に記載のバッテリー端子。
【請求項１５】
前記バッテリーポストは、バッテリー筐体の上面に形成された凹部の底面に立設され、
前記締結部材は、前記バッテリーポストが前記ポスト挿入孔に挿入され、かつ、前記締結部材支持部に支持された状態で、少なくとも一部が前記軸方向に沿って前記上面から突出した位置に支持される、
ことを特徴とする、請求項１〜１４のいずれか１項に記載のバッテリー端子。
【国際調査報告】
2015087633.tif 000039
2015087633.tif 000040
2015087633.tif 000041
2015087633.tif 000042
2015087633.tif 000043